(57)【要約】ＴＶの前で視聴するユーザにユーザカスタマイズ型広告を提供する提供方法であって、前記ユーザの端末機がＴＶから出力された音響信号に含まれたプログラムＩＤを認識するステップと、前記プログラムＩＤと、ユーザ情報及び／または前記ＴＶに接続されて映像及び音声を出力するセットトップボックスのＩＤに基づいて、前記ユーザに対するカスタマイズ型広告を選択するステップと、前記ユーザの端末機が、前記カスタマイズ型広告を選択するステップにて選択された広告を前記ユーザに出力するステップと、を含むユーザカスタマイズ型広告を提供する方法が開示される。
2016523014.tif 000002
【特許請求の範囲】
【請求項１】
ＴＶの前で視聴するユーザにユーザカスタマイズ型広告を提供する提供方法であって、
前記ユーザの端末機がＴＶから出力された音響信号に含まれたプログラムＩＤを認識するステップと、
ｉ）前記プログラムＩＤと、ｉｉ）ユーザ情報及び／または前記ＴＶに接続されて映像及び音声を出力するセットトップボックスのＩＤ（セットトップボックスＩＤとする）に基づいて、前記ＴＶを視聴するユーザに対するカスタマイズ型広告を選択するステップと、
前記ユーザの端末機または前記ＴＶが、前記カスタマイズ型広告を選択するステップにて選択された広告を前記ユーザに出力するステップと、を含むことを特徴とするユーザカスタマイズ型広告を提供する方法。
【請求項２】
前記ユーザの端末機は、ｉ）前記プログラムＩＤと、ｉｉ）ユーザ情報及び／または前記ＴＶに接続されて、映像及び音声を出力するセットトップボックスＩＤを外部装置に送信するステップと、
前記ユーザの端末機または前記セットトップボックスＩＤを有したセットトップボックスが、前記外部装置または前記外部装置と通信可能に接続した他の装置により選択された前記カスタマイズ型広告を選択するステップにて選択されたカスタマイズ型広告を受信するステップと、をさらに含むことを特徴とする請求項１に記載のユーザカスタマイズ型広告を提供する方法。
【請求項３】
前記ユーザの端末機は、ＴＶから出力される音響信号を認識できるように、前記ユーザの端末機が有したマイクをオンにするステップをさらに含むことを特徴とする請求項２に記載のユーザカスタマイズ型広告を提供する方法。
【請求項４】
前記ユーザ情報は、
ユーザの年齢、性別、及び／または職業と、前記ユーザと少なくとも一つの他のユーザ間になされたチャット情報と、前記ユーザのＴＶ視聴パターンと、前記ユーザと同じ位置にいる少なくとも一つの他のユーザに対する情報のうち、少なくとも一つ以上を含むことを特徴とする請求項１に記載のユーザカスタマイズ型広告を提供する方法。
【請求項５】
前記ユーザの端末機は、前記ユーザと同じグループに属した友達に文字及び／またはマルチメディアデータを送信するか、前記友達のうち、少なくともいずれか一つの友達から文字及び／またはマルチメディアデータを受信することができるチャットウィンドウを含んだユーザインタフェース画面を表示し、
前記ユーザに知らせるステップは、前記ユーザインタフェース画面上にアイコンをアクティブにするステップであることを特徴とする請求項１に記載のユーザカスタマイズ型広告を提供する方法。
【請求項６】
前記ユーザの端末機は、前記ユーザに友達推薦目録を表示するプラス（＋）友達目録ウィンドウを含んだユーザインタフェース画面を表示し、
前記ユーザに知らせるステップは、前記プラス（＋）友達目録に前記カスタマイズ型広告を選択するステップにて選択された広告に対する広告名称を含めるステップであることを特徴とする請求項１に記載のユーザカスタマイズ型広告を提供する方法。
【請求項７】
前記外部装置は、同じグループに属した友達に文字及び／またはマルチメディアデータを送信するＭＩＭサービスサーバであり、
前記ＭＩＭサービスサーバは、
通信可能に接続した広告サーバ、セットトップボックス、または放送サーバにｉ）前記プログラムＩＤと、ｉｉ）前記ユーザ情報及び／または前記セットトップボックスＩＤとを送信し、
ｉ）前記プログラムＩＤと、ｉｉ）前記ユーザ情報、及び／または前記セットトップボックスＩＤを送信した装置から広告を受信して、前記ユーザの端末機に送信することを特徴とする請求項２に記載のユーザカスタマイズ型広告を提供する方法。
【請求項８】
ＴＶから出力された音響信号に含まれたプログラムＩＤは、前記セットトップボックスまたは前記セットトップボックスに放送信号を送信する装置によって放送信号に挿入されたことを特徴とする請求項２に記載のユーザカスタマイズ型広告を提供する方法。
【請求項９】
ＴＶの前で視聴するユーザにユーザカスタマイズ型広告を提供する方法であって、
前記ユーザの端末機から、前記ＴＶから外部に出力された音響信号に含まれたｉ）プログラムＩＤと、ｉｉ）ユーザ情報及び／または前記ＴＶに接続されて音声と映像を出力するセットトップボックスのＩＤ（セットトップボックスＩＤとする）を受信するステップと、
ｉ）前記プログラムＩＤと、ｉｉ）前記ユーザ情報、及び／または前記セットトップボックスＩＤに基づいて、前記ＴＶの前で視聴するユーザに対するユーザカスタマイズ型広告を選択するステップと、
前記広告を選択するステップにて選択された広告を、前記ユーザ端末機及び／または前記ＴＶに送信するステップと、を含むことを特徴とするユーザカスタマイズ型広告を提供する方法。
【請求項１０】
前記ユーザカスタマイズ型広告を選択するステップにて選択されたユーザカスタマイズ型広告を放送プログラムに挿入するステップをさらに含み、
前記ＴＶに送信するステップは、前記ユーザカスタマイズ型広告が挿入されたプログラムを送信するステップであることを特徴とする請求項９に記載のユーザカスタマイズ型広告を提供する方法。
【請求項１１】
前記ユーザ情報は、
ユーザの年齢、性別、及び／または職業と、前記ユーザと少なくとも一つの他のユーザ間になされたチャット情報と、前記ユーザのＴＶ視聴パターンと、前記ユーザと同じ位置にいる少なくとも一つの他のユーザに対する情報のうち、少なくとも一つ以上を含むことを特徴とする請求項９に記載のユーザカスタマイズ型広告を提供する方法。
【請求項１２】
前記ユーザカスタマイズ型広告を選択するステップは、
同じグループに属した友達に文字及び／またはマルチメディアデータを送信するＭＩＭサービスサーバにより行われるか、前記ＴＶに広告を提供する広告サーバにより行われるか、または前記セットトップボックスにより行われることを特徴とする請求項１１に記載のユーザカスタマイズ型広告を提供する方法。
【請求項１３】
前記ユーザカスタマイズ型広告を選択するステップは、
セットトップボックスＩＤが同じユーザに対しては、同じ位置にいると判断し、前記ユーザに合う広告を選択することを特徴とする請求項９に記載のユーザカスタマイズ型広告を提供する方法。
【請求項１４】
ＴＶから出力された音響信号に含まれたプログラムＩＤは、前記セットトップボックスまたは前記セットトップボックスに放送信号を送信する装置によって放送信号に挿入されることを特徴とする請求項９に記載のユーザカスタマイズ型広告を提供する方法。
【請求項１５】
コンピュータに請求項９ないし１４のうちのいずれか一項に記載のユーザカスタマイズ型広告を提供する方法を実行させるためのプログラムを記録したコンピュータで読み取り可能な記録媒体。
【請求項１６】
コンピュータに、
ＴＶから出力された音響信号に含まれたプログラムＩＤを認識するステップと、
ｉ）前記プログラムＩＤと、ｉｉ）ユーザ情報及び／または前記ＴＶに接続されて映像及び音声を出力するセットトップボックスＩＤ（セットトップボックスＩＤとする）に基づいて、前記ＴＶを視聴するユーザに対するカスタマイズ型広告を選択するステップと、
前記カスタマイズ型広告を選択するステップにて選択された広告を前記ユーザに知らせるステップと、を含む方法を実行させるためのＭＩＭサービスプログラムを記録したコンピュータで読み取り可能な記録媒体。
【請求項１７】
前記方法は、
ｉ）前記プログラムＩＤと、ｉｉ）ユーザ情報及び／または前記ＴＶに接続されて、映像及び音声を出力するセットトップボックスＩＤを外部装置に送信するステップと、
前記外部装置または前記外部装置と通信可能に接続した他の装置により選択されたカスタマイズ型広告を受信するステップと、をさらに含むことを特徴とする請求項１６に記載のＭＩＭサービスプログラムを記録したコンピュータで読み取り可能な記録媒体。
【請求項１８】
前記カスタマイズ型広告を選択するステップは、前記プログラムＩＤと、前記ユーザ情報に基づいて前記ＴＶを視聴するユーザに合う広告を選択するステップであり、
選択された広告を前記ユーザに知らせるステップは、前記ＴＶに接続されて映像及び音声を出力するセットトップボックスＩＤ（セットトップボックスＩＤとする）を有したセットトップボックスに送信するステップであることを特徴とする、請求項１７に記載のＭＩＭサービスプログラムを記録したコンピュータで読み取り可能な記録媒体。
【請求項１９】
前記方法は、また、
同じグループに属した友達に文字及び／またはマルチメディアデータを送信するか、または前記友達のうち、少なくともいずれか一つの友達から文字及び／またはマルチメディアデータを受信することができるチャットウィンドウを含んだユーザインタフェース画面を表示するステップをさらに含み、
前記ユーザに知らせるステップは、ユーザインタフェース画面上にアイコンをアクティブにするステップであることを特徴とする、請求項１７に記載のＭＩＭサービスプログラムを記録したコンピュータで読み取り可能な記録媒体。
【請求項２０】
前記方法は、また、
前記ユーザに友達推薦目録を表示するプラス（＋）友達目録ウィンドウを含んだユーザインタフェース画面を表示するステップをさらに含み、
前記ユーザに知らせるステップは、前記プラス（＋）友達目録に前記カスタマイズ型広告を選択するステップにて選択された広告に対する広告名称を含めるステップであることを特徴とする、請求項１７に記載のＭＩＭサービスプログラムを記録したコンピュータで読み取り可能な記録媒体。
【請求項２１】
前記外部装置は、同じグループに属した友達に文字及び／またはマルチメディアデータを送信するＭＩＭサービスサーバであることを特徴とする請求項１８に記載のＭＩＭサービスプログラムを記録したコンピュータで読み取り可能な記録媒体。
【請求項２２】
サーバと端末機を備えるユーザカスタマイズ型広告提供システムにおける前記サーバであって、
前記サーバは、ＭＩＭサービスプログラムを記録したコンピュータで読み取り可能な記録媒体を有し、
前記ＭＩＭサービスプログラムは、
前記端末機に、
ＴＶから出力された音響信号に含まれたプログラムＩＤを認識すると、ｉ）前記プログラムＩＤと、ｉｉ）ユーザ情報及び／または前記ＴＶに接続して映像及び音声を出力するセットトップボックスのＩＤ（セットトップボックスＩＤとする）を外部装置に送信するステップと、
前記外部装置または前記外部装置と通信可能に接続した他の装置から、ｉ）前記プログラムＩＤと、ｉｉ）前記ユーザ情報、及び／または前記セットトップボックスＩＤに基づいて選択された広告を受信するステップと、
広告を受信したことを前記ユーザに知らせるステップと、を含む方法を実行させるためのプログラムであることを特徴とするサーバ。
【請求項２３】
前記方法は、
ＴＶから出力される音響信号を認識できるように、前記端末機が有したマイクをオンにするステップをさらに含むことを特徴とする請求項２２に記載のサーバ。
【請求項２４】
前記ユーザ情報は、
ユーザの年齢、性別、及び／または職業と、前記ユーザと少なくとも一つの他のユーザ間になされたチャット情報と、前記ユーザのＴＶ視聴パターンと、及び前記ユーザと同じ位置にいる少なくとも一つの他のユーザに対する情報のうち、少なくとも一つ以上を含むことを特徴とする請求項２２に記載のサーバ。
【請求項２５】
前記方法は、
前記ユーザと同じグループに属した友達に文字及び／またはマルチメディアデータを送信するか、または前記友達のうち、少なくともいずれか一つの友達から文字及び／またはマルチメディアデータを受信することができるチャットウィンドウを含んだユーザインタフェース画面を表示するステップをさらに含み、
前記ユーザに知らせるステップは、広告を受信したことを前記ユーザインタフェース画面上にアイコンをアクティブにするステップであることを特徴とする請求項２３に記載のサーバ。
【請求項２６】
前記方法は、
前記ユーザに友達推薦目録を表示するプラス（＋）友達目録ウィンドウを含んだユーザインタフェース画面を表示するステップをさらに含み、
前記ユーザに知らせるステップは、前記プラス（＋）友達目録に前記広告を受信するステップにて受信した広告に対する広告名称を含めるステップであることを特徴とする請求項２３に記載のサーバ。
【請求項２７】
前記外部装置は、前記サーバまたは同じグループに属した友達に文字及び／またはマルチメディアデータを送信するサービスを提供するＭＩＭサービスサーバであり、
前記サーバまたは前記ＭＩＭサービスサーバは、
通信可能に接続した広告サーバ、セットトップボックス、または放送サーバにｉ）前記プログラムＩＤと、ｉｉ）前記ユーザ情報及び／または前記セットトップボックスＩＤとを送信し、
ｉ）前記プログラムＩＤと、ｉｉ）前記ユーザ情報及び／または前記セットトップボックスＩＤとを送信した装置から広告を受信して、前記ユーザの端末機に送信することを特徴とする請求項２２に記載のサーバ。
【発明の詳細な説明】
【技術分野】
【０００１】
本発明は、ＴＶから出力される音響信号に基づいたユーザカスタマイズ型広告提供システム、ユーザカスタマイズ型広告を提供する方法、及びＭＩＭ（Ｍｏｂｉｌｅ  Ｉｎｓｔａｎｔ  Ｍｅｓｓｅｎｇｅｒ）サービスプログラムを記録したコンピュータで読み取り可能な記録媒体に関する。
【背景技術】
【０００２】
従来、ユーザにカスタマイズ型で広告を提供する方法は、広く知られている。例えば、以下の特許文献１（ユーザカスタマイズ広告サービスを提供するシステム及びその動作方法）、特許文献２（ユーザカスタマイズ型ＩＰＴＶ広告提供システム及び広告提供方法）のように、多様な方法でユーザにカスタマイズ型広告を提供している。
【先行技術文献】
【特許文献】
【０００３】
【特許文献１】韓国公開特許第２０１２−００１００９８号公報（２０１２．０２．０２）
【特許文献２】韓国公開特許第２０１０−００９４１５４号公報（２０１０．０８．２６）
【発明の概要】
【発明が解決しようとする課題】
【０００４】
本発明は、ユーザにカスタマイズ型広告を提供する技術を改良することを目的とする。
【課題を解決するための手段】
【０００５】
本発明の一実施の形態によれば、ＴＶを視聴するユーザ及び視聴する同僚まで認識してカスタマイズ型広告を提供できる、ユーザカスタマイズ型広告提供システム、ユーザカスタマイズ型広告を提供する方法、及びＭＩＭサービスプログラムを記録したコンピュータで読み取り可能な記録媒体が提供される。
【０００６】
本発明の一実施の形態によれば、現在視聴する放送プログラムに対する情報をＭＩＭサービスアプリケーションが提供する画面上に提供することによって、広告効果を極大化できるユーザカスタマイズ型広告提供システム、ユーザカスタマイズ型広告を提供する方法、及びＭＩＭサービスプログラムを記録したコンピュータで読み取り可能な記録媒体が提供される。
【０００７】
本発明の一実施の形態によれば、既存の放送送信と関連した装備の交替無しで視聴者を認識して、ユーザカスタマイズ型広告を提供できるユーザカスタマイズ型広告提供システム、ユーザカスタマイズ型広告を提供する方法、及びＭＩＭサービスプログラムを記録したコンピュータで読み取り可能な記録媒体が提供される。
【０００８】
本発明の一実施の形態によれば、ＴＶの前で視聴するユーザにユーザカスタマイズ型広告を提供する提供方法であって、前記ユーザの端末機がＴＶから出力された音響信号に含まれたプログラムＩＤを認識するステップと、前記プログラムＩＤと、ユーザ情報及び／または前記ＴＶに接続されて映像及び音声を出力するセットトップボックスのＩＤ（セットトップボックスＩＤとする）に基づいて、前記ユーザに対するカスタマイズ型広告を選択するステップと、前記ユーザの端末機が、前記カスタマイズ型広告を選択するステップにて選択された広告を前記ユーザに知らせるステップと、を含むことを特徴とするユーザカスタマイズ型広告を提供する方法が提供されることができる。
【０００９】
本発明の他の一実施の形態によれば、ＴＶの前で視聴するユーザにユーザカスタマイズ型広告を提供する方法であって、前記ユーザの端末機から、前記ＴＶから外部に出力された音響信号に含まれたプログラムＩＤと、前記ユーザ情報及び／または前記ＴＶに接続されて音声と映像を出力するセットトップボックスのＩＤ（セットトップボックスＩＤとする）を受信するステップと、前記プログラムＩＤと、前記ユーザ情報、及び／または前記セットトップボックスＩＤに基づいて、前記ユーザに対するユーザカスタマイズ型広告を選択するステップと、前記広告を選択するステップにて選択された広告を、前記ユーザ端末機及び／または前記ＴＶに送信するステップと、を含むことを特徴とするユーザカスタマイズ型広告を提供する方法が提供されることができる。
【００１０】
本発明の他の一実施の形態によれば、コンピュータに上述の方法によるユーザカスタマイズ型広告を提供する方法を実行させるためのプログラムを記録したコンピュータで読み取り可能な記録媒体が提供されることができる。
【００１１】
本発明の他の一実施の形態によれば、コンピュータに、ＴＶから出力された音響信号に含まれたプログラムＩＤを認識するステップと、前記プログラムＩＤと、ユーザ情報及び／または前記ＴＶに接続されて映像及び音声を出力するセットトップボックスＩＤ（セットトップボックスＩＤとする）に基づいて、前記ユーザに対するカスタマイズ型広告を選択するステップと、前記ユーザの端末機が、前記カスタマイズ型広告を選択するステップにて選択された広告を前記ユーザに知らせるステップと、を含む方法を実行させるためのＭＩＭサービスプログラムを記録したコンピュータで読み取り可能な記録媒体が提供されることができる。
【００１２】
本発明の他の一実施の形態によれば、サーバと端末機を備えるユーザカスタマイズ型広告提供システムにおける前記サーバであって、前記サーバは、ＭＩＭサービスプログラムを記録したコンピュータで読み取り可能な記録媒体を有し、前記ＭＩＭサービスプログラムは、前記端末機に、前記端末機がＴＶから出力された音響信号に含まれたプログラムＩＤを認識すると、前記プログラムＩＤと、ユーザ情報及び／または前記ＴＶに接続して映像及び音声を出力するセットトップボックスのＩＤ（セットトップボックスＩＤとする）を外部装置に送信するステップと、前記外部装置または前記外部装置と通信可能に接続した他の装置から、前記プログラムＩＤと、前記ユーザ情報、及び／または前記セットトップボックスＩＤに基づいて選択された広告を受信するステップと、広告を受信したことを前記ユーザに知らせるステップと、を含む方法を実行させるためのプログラムであることを特徴とするサーバが提供されることができる。
【発明の効果】
【００１３】
本発明の一つ以上の実施の形態によれば、ＴＶを視聴するユーザを認識できるので、効果的なユーザカスタマイズ型広告をすることができる。
【００１４】
本発明の一つ以上の実施の形態によれば、ＴＶを視聴するユーザ及びそのユーザと共にいる同僚まで認識できるので、より効果的にユーザカスタマイズ型広告をすることができる。
【００１５】
本発明の一つ以上の実施の形態によれば、ＴＶを視聴するユーザ及びそのユーザと共にいる同僚を認識でき、それらに合う広告を端末機あるいはＴＶ放送により提供できるので、より効果的なユーザカスタマイズ型広告をすることができる。
【００１６】
本発明の一つ以上の実施の形態によれば、ＴＶを視聴するユーザ及びそのユーザと共にいる同僚が特定テレビプログラムを視聴したという事実だけでなく、どの地域、そしてどの場所で視聴しているかに関する情報を収集できるので、より効果的なユーザカスタマイズ型広告をすることができる。
【００１７】
本発明の一つ以上の実施の形態によれば、ＭＩＭサービスを利用するユーザのうち、何れか一人のユーザがＴＶを視聴する場合、現在視聴する放送プログラムに対する情報（出演陣、プログラムに使用された製品に対する情報）をＭＩＭアプリケーションが提供する画面上に提供することによって、広告効果を極大化できるようになる。
【００１８】
本発明の一つ以上の実施の形態によれば、プログラムＩＤを音波に入れて識別することによって、少ないデータ量でもユーザカスタマイズ型広告を提供できる。
【図面の簡単な説明】
【００１９】
【図１】本発明の一実施の形態にかかるユーザカスタマイズ型広告提供システムを説明するための図である。
【図２】本発明の他の実施の形態にかかるユーザカスタマイズ型広告提供システムを説明するための図である。
【図３】本発明の他の実施の形態にかかるユーザカスタマイズ型広告提供システムを説明するための図である。
【図８】本発明の一実施の形態にかかる端末機の動作を説明するための図である。
【図５】本発明の一実施の形態にかかるユーザカスタマイズ型広告提供方法を説明するための図である。
【図１０】本発明の一実施の形態にかかるＭＩＭサービスプログラムを説明するための図である。
【図１１】本発明の一実施の形態にかかるＭＩＭサービスプログラムを説明するための図である。
【図１２】本発明の一実施の形態にかかるＭＩＭサービスプログラムを説明するための図である。
【図１３】本発明の一実施の形態にかかるＭＩＭサービスプログラムを説明するための図である。
【図１４】本発明の一実施の形態にかかるコンピュータの構成を説明するための図である。
【発明を実施するための形態】
【００２０】
以上の本発明の目的、他の目的、特徴及び利点は、添付された図面と関連した以下の好ましい実施の形態により容易に理解されるはずである。しかしながら、本発明は、ここで説明される実施の形態に限定されずに他の形態で具体化されうる。むしろ、ここで紹介される実施の形態は、開示された内容が徹底かつ完全になるように、そして当業者に本発明の思想を十分に伝達させるために提供されるものである。
【００２１】
本明細書において、ある構成要素が他の構成要素上にあると言及される場合に、それは、他の構成要素上に直接形成されうるか、又はそれらの間に第３の構成要素が介在されうることを意味する。また、図面において、構成要素の厚さは、技術的内容の効果的な説明のために誇張されたものである。
【００２２】
本明細書において、第１、第２などの用語が構成要素を述べるために使用された場合、これらの構成要素がこのような用語によって限定されてはならない。これらの用語は、但しある構成要素を他の構成要素と区別させるために使用されるだけである。ここに説明され例示される実施の形態は、それの相補的な実施の形態も含む。
【００２３】
本明細書で使用された用語は、実施の形態を説明するためのもので、本発明を限定するものではない。本明細書において、単数形は、特に言及しない限り、複数形も含む。明細書で使用される「含む（ｃｏｍｐｒｉｓｅｓ）」及び／又は「含む（ｃｏｍｐｒｉｓｉｎｇ）」と言及された構成要素は、一つ以上の他の構成要素の存在又は追加を排除しない。
【００２４】
以下、図面を参照して本発明を詳細に説明する。以下の特定実施の形態を述べるにおいて、様々な特定の内容は、発明をさらに具体的に説明し理解に役立つために作成された。しかしながら、本発明を理解することができる程度のこの分野における知識を有した読者は、このような様々な特定の内容がなくても使用されうることを認知できる。ある場合には、発明を述べるにおいて周知で発明と大きく関連のない部分は、本発明を説明するにおいて特別な理由なしで混乱を引き起こすことを防止するために述べないことを予め言及しておく。
【００２５】
本願発明の一つ以上の実施の形態によれば、ユーザカスタマイズ型広告を選択する装置は、セットトップボックス（以下、ＳＴＢとする）、放送サーバ、または広告サーバのうち、いずれか一つでありうる。これらの装置は、以下に述べられる方法のうち、少なくともいずれか一つの方法を使用して、ユーザに合うユーザカスタマイズ型広告を選択できる。
【００２６】
第１の方法は、ユーザ情報を利用してユーザカスタマイズ型広告を選択する方法である。
【００２７】
ユーザ情報は、例えば、ユーザの年齢、性別、または職場などのように個人身上に関する情報を含むことができる。
【００２８】
ユーザ情報は、また、ユーザのＴＶ視聴パターン、ＭＩＭサービスを利用する時のチャット内容（例えば、キーワード情報）、ＭＩＭサービスを通じて互いにチャットする友達の数と友達の特性（年齢、家族、学校同窓など）のようなユーザに対する付加的な情報も含むことができる。本発明の実施の形態においてユーザ情報とは、「ユーザ情報」と「ユーザに対する付加的な情報」をすべて含む概念として使用し、「ユーザ情報」と「ユーザに対する付加的な情報」とを区別する必要がある場合には、両方を区別して使用することにする。
【００２９】
ユーザ情報は、また、自分（ユーザ）の他に自分（ユーザ）と同じ位置でＴＶを共に視聴する他のユーザに対する情報（または他の端末機に対する情報）もさらに含むことができる。
【００３０】
第２の方法は、プログラムＩＤを利用してユーザカスタマイズ型広告を選択する方法である。
【００３１】
例えば、プログラムにおいて間接広告した製品（ハンドバッグ、自動車、帽子、履き物など）またはサービスのうち、少なくともいずれか一つをユーザカスタマイズ型広告として選択できる。
【００３２】
第３の方法は、ＳＴＢ  ＩＤを利用してユーザカスタマイズ型広告を選択する方法である。
【００３３】
ＳＴＢ  ＩＤは、ユーザの位置を知らせることができるので、ユーザの位置が考慮された広告が選択されることができる。
【００３４】
例えば、ＳＴＢがどんな場所（公共場所、家庭、または会社等）にインストールされているかどうかによって、ユーザカスタマイズ型広告が選択されることができる。ＳＴＢ  ＩＤが公共場所にインストールされたＳＴＢを表すと、すべての年齢帯の人に共通する広告が選択されることができ、女性だけの専用物品のうち、恥ずかしい物品に対する広告は選択されないこともできる。
【００３５】
他の例として、ＳＴＢ  ＩＤは、同じＳＴＢ  ＩＤを受信したユーザが同じ場所にいるユーザであることを知らせることができるので、共に視聴する人々を全部考慮して選択された広告が提供されることができる。
【００３６】
第４の方法は、上述の三通りの方法を任意に組み合わせて、ユーザカスタマイズ型広告を選択する方法である。例えば、ｉ）ユーザ情報とプログラムＩＤを共に利用したり、ｉｉ）ユーザ情報とＳＴＢ  ＩＤを共に利用したり、ｉｉｉ）プログラムＩＤとＳＴＢ  ＩＤを共に利用したり、またはｉｖ）ユーザ情報、プログラムＩＤ、及びＳＴＢ  ＩＤをすべて利用する方法があることができる。
【００３７】
以下の実施の形態において、ある装置がユーザカスタマイズ型広告を選択すると言及されると、ユーザカスタマイズ型広告を選択する方法に対して言及しなくても、上の方法のうち、少なくともいずれか一つの方法を使用してユーザカスタマイズ型広告を選択できる。
【００３８】
また、本願発明の一つ以上の実施の形態によれば、プログラムＩＤを放送信号に挿入する装置は、例えば、ＳＴＢまたは放送サーバのうち、いずれか一つでありうる。以下の実施の形態において、放送信号にプログラムＩＤが含まれていると言及されると、どんな方法によりプログラムＩＤが挿入されているかに対して具体的に言及しなくても、ＳＴＢまたは放送サーバにより挿入されたことでありうることを知っていなければならない。
【００３９】
図１は、本発明の一実施の形態にかかるユーザカスタマイズ型広告提供システムを説明するための図である。
【００４０】
図１に示すように、本発明の一実施の形態にかかるユーザカスタマイズ型広告提供システムは、映像及び音響を出力するＴＶ１、放送サーバ５から放送信号を受信し、受信した放送信号の中でユーザが選択したチャネルのプログラムを映像及び音響信号に変換した後、ＴＶ１に出力するＳＴＢ３、ＳＴＢ３に放送信号を送信する装置である放送サーバ５、端末機７、及びユーザカスタマイズ型広告提供サーバ９を備えることができる。
【００４１】
ＴＶ１は、ＳＴＢ３から映像及び音響信号を受信し、これらの信号をユーザが認識可能な形態（例えば、音響及び映像）として出力できる。
【００４２】
ＳＴＢ３は、例えば、ＴＶ内蔵型とＴＶ外蔵型の２通りのタイプがありえ、図１の実施の形態は、ＴＶ外蔵型の例を示したものである。ＳＴＢ３は、ＴＶ外蔵型に限定されず、ＳＴＢ３は、ＴＶ内蔵型でも具現化されることができる。以下、他の実施の形態でも同様である。
【００４３】
本発明の一実施の形態にかかるＳＴＢ３は、例えば、放送サーバ５から地上波基地局、衛星、または有線ケーブルなどを介して、放送信号を受信することができる。
【００４４】
また、本発明の他の実施の形態によれば、ＳＴＢ３は、インターネットプロトコル（ＩＰ）を使用して双方向通信を支援でき、インターネットを介して放送サーバ５から放送信号を受信し、受信した放送信号からユーザが選択したチャネルの放送信号を音声及び映像信号に復調して、ＴＶ１に出力する。
【００４５】
ＳＴＢ３には、他のＳＴＢと区別できるように、識別子（以下、ＳＴＢ  ＩＤとする）が割り当てられており、このようなＳＴＢ  ＩＤは、例えば、ＩＰアドレス及び／またはＭＡＣアドレスになることができるが、これらに限定されるものではないことを当業者は知っていなければならない。
【００４６】
放送サーバ５は、放送信号をブロードキャストできる。
【００４７】
端末機７は、ＴＶ１を視聴するユーザが所持したモバイル通信装置であって、ＴＶ１から出力される音響信号を認識し、認識した音響信号にプログラムＩＤが含まれていると、プログラムＩＤを抽出できる。
【００４８】
一実施の形態によれば、端末機７は、ＴＶ１から出力される音響信号から抽出したプログラムＩＤと、端末機７のユーザ情報をユーザカスタマイズ型広告提供サーバ９に提供できる。後述するが、端末機７は、ＴＶ１から出力される音響信号にＳＴＢ  ＩＤとプログラムＩＤとが含まれている場合には、プログラムＩＤだけでなくＳＴＢ  ＩＤも抽出できる。
【００４９】
ＳＴＢ  ＩＤは、現在ＴＶ１を視聴するユーザにユーザカスタマイズ型広告を提供するために必要な情報であり、なお端末機７のユーザの位置も知らせることができる。
【００５０】
本発明の実施の形態によれば、プログラムＩＤとＳＴＢ  ＩＤを音響信号に挿入する技術と、そして音響信号に挿入されたプログラムＩＤとＳＴＢ  ＩＤを抽出する技術は、例えば、本発明者が２０１２年４月１２日付で韓国特許庁に特許出願した特許出願番号１０−２０１２−００３８１２０号（音響システムを利用してモバイル端末機の位置を推定する位置推定方法及び位置推定システム、並びにこれに使用される音響システム）に開示された技術を利用できる。
【００５１】
他の例として、本発明者が２０１２年７月１８日付で韓国特許庁に特許出願した特許出願番号１０−２０１２−００７８４１０号（近接性データ収集方法及びシステム）に開示された技術（音響信号中にＩＤを含め、音響信号に含まれたＩＤを認識して抽出する技術）を利用することも可能である。
【００５２】
さらに他の例として、本発明者が２０１２年５月１８日付で韓国特許庁に特許出願した特許出願番号１０−２０１２−００５３２８６号（スピーカの識別のためのシステム及びこれを利用した位置推定システム）に開示された技術（音響信号中にＩＤを含め、音響信号に含まれたＩＤを認識して抽出する技術）を利用することも可能である。
【００５３】
他の例として、本発明者が２０１２年７月１８日付で韓国特許庁に特許出願した特許出願番号１０−２０１２−００７８４４６号（近接性情報を利用したユーザ間親密度算出方法及び装置）に開示された技術（音響信号中にＩＤを含め、音響信号に含まれたＩＤを認識して抽出する技術）を利用することも可能である。
【００５４】
一方、上で言及した特許出願の明細書に開示された技術は、すべて本願明細書に結合されて本願明細書の一部として取り扱われなければならない。
【００５５】
本実施の形態において、ユーザカスタマイズ型広告提供サーバ９は、プログラムＩＤとユーザ情報を放送サーバ５に送信し、放送サーバ５は、プログラムＩＤ、ユーザ情報、及び／またはＳＴＢ  ＩＤに基づいて広告を選択し、選択した広告をユーザカスタマイズ型広告提供サーバ９及び／またはセットトップボックス３に提供する。ここで、放送サーバ５がユーザカスタマイズ型広告提供サーバ９に送信する広告と、セットトップボックス３に送信する広告は、必ず同一である必要はなく、互いに異なっても良い。
【００５６】
本実施の形態において、端末機７は、ユーザカスタマイズ型広告提供サーバ９から広告を受信することができ、ここでの「広告」は、「広告」及び／または「広告に接近できるアドレス（例えばリンク）」を含むことができる。
【００５７】
本願明細書において、「広告」とは、「広告」及び／または「広告に接近できるアドレス」を含む意味として使用することにし、ただし「広告」と「広告に接近できるアドレス」とを区別する必要がある場合には、両方を区別して使用することにする。
【００５８】
端末機７は、ユーザカスタマイズ型広告提供サーバ９から受信した広告を端末機７が備えたディスプレイ部（図示せず）とスピーカ（図示せず）を介して出力できる。
【００５９】
端末機７は、例えば、セルラーフォン、スマートフォン、タブレットコンピュータ、ＰＤＡ、ウェアラブルコンピュータなどのような通信可能なモバイル装置でありうる。
【００６０】
本実施の形態において、端末機７が有したコンピュータで読み取り可能な記録媒体（図示せず）（例えば、ＨＤＤ、ＳＳＤ、またはメモリ）には、本発明の一実施の形態にかかるＭＩＭサービスプログラムがインストールされていることができ、このようなＭＩＭサービスプログラムは、ＴＶ１から出力される音響信号からプログラムＩＤを抽出し、抽出したプログラムＩＤとユーザ情報をユーザカスタマイズ型広告提供サーバ９に送信できる。
【００６１】
端末機７に備えられたコンピュータが読み取り可能な記録媒体（図示せず）に保存されるＭＩＭサービスプログラムは、後述する本発明の一実施の形態にかかるＭＩＭサービスプログラムでありえ、外部装置、例えばユーザカスタマイズ型広告提供サーバ９から受信したことでありうる。
【００６２】
本実施の形態にかかるＭＩＭサービスプログラムは、端末機７に、ＴＶ１から出力された音響信号に含まれたプログラムＩＤを認識するステップ、プログラムＩＤとユーザ情報及び／またはＳＴＢ３のＳＴＢ  ＩＤとをユーザカスタマイズ型広告提供サーバ９に送信するステップ、ユーザカスタマイズ型広告提供サーバ９またはユーザカスタマイズ型広告提供サーバ９と通信可能に接続した放送サーバ５から、プログラムＩＤとユーザ情報及び／またはセットトップボックスＩＤに基づいて選択された広告を受信するステップ、及び広告を受信したことをユーザに知らせるステップを含む方法を実行させるプログラムでありうる。ＭＩＭサービスプログラムに対するさらに詳細な説明は、図１０ないし図１３を参照してほしい。
【００６３】
ユーザカスタマイズ型広告提供サーバ９は、コンピュータで読み取り可能な記録媒体（図示せず）を備えることができ、このようなコンピュータで読み取り可能な記録媒体（図示せず）には、本発明の一実施の形態にかかるＭＩＭサービスプログラムが保存されていることができる。ユーザカスタマイズ型広告提供サーバ９は、端末機７の要請があると、ＭＩＭサービスプログラムを端末機７に送信できる。以後、端末機７に送信されたＭＩＭサービスプログラムは、実行可能な形態で端末機７にインストールされることができる。
【００６４】
本願明細書において言及する「コンピュータで読み取り可能な記録媒体」は、端末機、ユーザカスタマイズ型広告提供サーバ、放送サーバ、またはＳＴＢのどこでも位置していることができ、そういう「コンピュータで読み取り可能な記録媒体」には、本発明の一実施の形態にかかるＭＩＭサービスプログラムが保存されていることができる。一方、本実施の形態において、ユーザカスタマイズ型広告提供サーバは、ＳＭＳメッセージまたはＭＩＭメッセージを送信できるメッセージサーバとしての機能もさらに具備していることができる。
【００６５】
以下、図８を参照して、本発明の一実施の形態に他の端末機の動作をさらに詳細に説明する。
【００６６】
図８は、本発明の一実施の形態にかかる端末機の動作を説明するための図である。
【００６７】
図８に示すように、端末機は、ＴＶから出力される音響信号を認識でき（Ｓ１０１）、認識した音響信号にプログラムＩＤがあると、抽出する（Ｓ１０３）。ここで、端末機は、音響信号にＳＴＢ  ＩＤも共に含まれていると、ＳＴＢ  ＩＤも抽出できる。
【００６８】
ステップＳ１０１とステップＳ１０３の動作を行うために、端末機は、マイク（図示せず）を具備しており、ステップＳ１０１の動作を行う前にマイク（図示せず）は、ＴＶ１から出力される音響信号を認識できる状態（このような状態を「オン状態」とする）になっていなければならない。
【００６９】
マイクがオン状態になる時期は、端末機がはじめに駆動される時に、または端末機にインストールされた所定のプログラム（例えば、本願明細書において説明しているＭＩＭサービスプログラム）が駆動される時に、または端末機のユーザの命令を受ける時でありうる。
【００７０】
ある音響信号に含まれたＩＤを認識する技術は、上述のような本出願の発明者が韓国に提出した特許出願らに記載された内容から十分に具現化できるので、本願明細書では、プログラムＩＤを抽出する動作（Ｓ１０３）についての詳細な説明は省略する。
【００７１】
本実施の形態における端末機は、ステップＳ１０３にて抽出したプログラムＩＤ及びユーザ情報を放送サーバに送信できる。一方、後述する実施の形態から分かるように、端末機は、放送サーバでない他の装置、例えばＳＴＢにプログラムＩＤ及びユーザ情報を送信するか、または広告サーバにプログラムＩＤ及びユーザ情報を送信するように変形されて構成されても良い。
【００７２】
本実施の形態における端末機は、ステップＳ１０３にてプログラムＩＤと共にＳＴＢ  ＩＤも抽出された場合には、ＳＴＢ  ＩＤとプログラムＩＤを全部放送サーバに送信する。この場合にも、端末機は、放送サーバでない他の装置等（例えば、ＳＴＢ、広告サーバ）にＳＴＢ  ＩＤを送信するように変形されて構成されても良い。
【００７３】
本実施の形態における端末機は、ＳＴＢ  ＩＤをＷＩＦＩやブルートゥースのような通信方法により、ＳＴＢから直接受信することもできる。
【００７４】
一実施の形態によれば、ユーザ端末機は、ＳＴＢに搭載されたＷＩＦＩ  ＭＡＣアドレスあるいはブルートゥースＭＡＣアドレスを収集して、ＳＴＢ  ＩＤとして使用することができる。このように、端末機がＳＴＢ  ＩＤも収集した場合、プログラムＩＤ、ユーザ情報、及びＳＴＢ  ＩＤを共に放送サーバに送信できる。仮に、ユーザカスタマイズ型広告を選択する装置がＳＴＢまたは広告サーバであると、ＳＴＢ  ＩＤ、プログラムＩＤ、及びユーザ情報は、ＳＴＢまたは広告サーバに送信されることができる。
【００７５】
本実施の形態において、端末機は、放送サーバから広告を受信して（Ｓ１０７）、広告を表示する（Ｓ１０９）。この場合にも、端末機は、放送サーバでない他の装置（例えば、ＳＴＢ、広告サーバ）から広告を受信するように変形されて構成されることができる。ここで、広告は、プログラムＩＤ、ユーザ情報、及び／またはＳＴＢ  ＩＤに基づいて選択されても良い。
【００７６】
本実施の形態において、端末機は、広告を受信すると、ユーザに知らせることができる。例えば、端末機が広告を受信すると、広告を受信したということをアイコンで表示できる（Ｓ１０２）。アイコンは、例えば、端末機が備えたメモリ（図示せず）上において実行されているプログラム（例えば、ＭＩＭ（Ｍｏｂｉｌｅ  Ｉｎｓｔａｎｔ  Ｍｅｓｓａｇｅ）サービスを提供するプログラム）が提供する画面上において表示されることができる。
【００７７】
または、本実施の形態における端末機は、端末機が広告を受信した場合、受信した広告を表す広告名称（または広告と関連した会社名称、または広告と関連したプログラム名称）（以下、通称して広告名称とする）を「プラス（＋）友達目録」に追加して表示するか、またはプログラムＩＤを抽出した場合、またはプログラムＩＤ及びユーザ情報を抽出した場合にも「プラス（＋）友達目録」に広告名称を追加して表示することによって、ユーザに広告を受信したことを知らせることができる。
【００７８】
本願明細書において、「プラス（＋）友達目録」にユーザに推薦する広告の目録を意味する。ユーザが「プラス（＋）友達目録」から広告名称を選択すると、ＭＩＭサービスプログラムは、ユーザにより選択された広告名称を「推薦友達目録」に追加する。「プラス（＋）友達目録」と「推薦友達登録」については、図１０ないし図１３を参照して詳細に説明する。
【００７９】
代案として（ａｌｔｅｒｎａｔｉｖｅｌｙ）、本実施の形態における端末機は、広告名称を「プラス（＋）友達目録」に追加し、同時に前記アイコンも表示できる。
【００８０】
本実施の形態における端末機は、ステップＳ１０２にて表示されたアイコンをユーザが選択した場合、ステップＳ１０７にて受信した広告を音声及び／または映像で表示できる（Ｓ１０４）。これとは異なり、ユーザが友達に登録された広告名称を選択すると、端末機は、選択した広告名称に対応した広告を表示する。
【００８１】
図８の実施の形態において、アイコンを表示するか、または「プラス（＋）友達」に登録するステップは、広告受信と同時にまたはその後に行われると説明したが、代案としてステップＳ１０３またはステップＳ１０５と同時にまたはその以後に行われるように具現化されることも可能である。
【００８２】
本実施の形態において、上述のＳ１０３ないしＳ１０９の動作は、端末機に保存されたＭＩＭサービスプログラムにより行われることができる。
【００８３】
以下、図１、図１０、図１１、図１２、及び図１３を共に参照して、ＭＩＭサービスプログラムをさらに詳細に説明する。
【００８４】
図１０、図１１、図１２、及び図１３は、本発明の一実施の形態にかかるＭＩＭサービスプログラムを説明するための図である。
【００８５】
本発明の一実施の形態にかかるＭＩＭサービスプログラムは、同じグループに属したメンバー同士で文字を送受信できるようにする機能を有したアプリケーションの一種であって、代表例には、Ｋａｋａｏｔａｌｋ、Ｔｔａｌｋ、ＬＩＮＥ、ｏｌｌｅｈｔａｌｋ、Ｍｙ  Ｐｅｏｐｌｅなどのような商標（またはサービス標）名称を有したアプリケーションがある。
【００８６】
本発明の一実施の形態にかかるＭＩＭサービスプログラムは、例えば、図１４に例示的に示す構成を有した端末機にインストールされて動作できる。
【００８７】
本発明の一実施の形態にかかるＭＩＭサービスプログラムは、文字を送受信できる文字送受信機能と有機的に結合された他の機能を追加的に具備できる。
【００８８】
図１０は、本発明の一実施の形態にかかるＭＩＭサービスプログラムが提供するユーザインタフェース画面を示す。
【００８９】
図１０に示すように、本発明の一実施の形態にかかるＭＩＭサービスプログラムが提供するユーザインタフェース画面Ｈは、選択バーＩ、Ｐ、Ｊ、Ｑ、検索語入力ウィンドウＬ、プロファイル（ｐｅｒｏｆｉｌｅ）、友達の目録を表す友達目録ウィンドウＫを含むことができる。
【００９０】
選択バーは、友達Ｉ、チャットＰ、友達検索Ｊ、詳細はこちらＱを含むことができる。
【００９１】
友達目録ウィンドウＫには、現在端末機のユーザの友達として登録された友達のＩＤ（または名前）目録が表示される。
【００９２】
検索語入力ウィンドウＬには、検索語をユーザが入力できるウィンドウとして、ユーザが検索語入力ウィンドウＬをタッチすると、文字などを入力できるキーボードがユーザインタフェース画面Ｈ上に表示される。
【００９３】
図１０において、チャットＰをユーザが選択すると、例えば、図１１のようなユーザインタフェース画面が表示されることができる。
【００９４】
図１１に示すように、端末機に表示されるユーザインタフェース画面は、例えば、同じグループに属した友達と送受信される文字及び／またはマルチメディアデータが表示されるチャットウィンドウＡ、同じグループに属した友達に対する情報（例えば、同じグループに属する友達の人員数）を表示するウィンドウＢ、アイコンＣ、及びユーザ命令を受け取るユーザ命令入力ウィンドウＤを含むことができる。
【００９５】
本発明の一実施の形態にかかるＭＩＭサービスプログラムは、図１１に例示的に示すように、チャットウィンドウＡの外部領域である上部領域にアイコンＣを表示できる。これとは異なり、ＭＩＭサービスプログラムは、チャットウィンドウＡ領域内にアイコンＣを表示できる。
【００９６】
本発明の一実施の形態にかかるＭＩＭサービスプログラムは、端末機が、広告を受信した場合にアイコンＣを表示するか、プログラムＩＤを抽出した場合、またはプログラムＩＤ及びユーザ情報を抽出した場合にアイコンＣを表示できる。本実施の形態にかかるＭＩＭサービスプログラムは、また、端末機が広告を受信した場合、「プラス（＋）友達目録」に広告名称を追加して表示できるが、これについては図１２を参照して説明する。
【００９７】
本願明細書において、アイコンを表示するという意味は、アイコンをアクティブにするという意味であり、アイコンがアクティブになると、例えばアイコンイメージが無かったから後に現れるか、またはアイコンのイメージが暗い状態から明るくなる状態に変化するなどのように、ユーザが認識できる形態で表示され、ユーザがアイコンを選択すると、ＭＩＭサービスプログラムは、ユーザが選択したアイコンに接続した広告を表示できる。
【００９８】
ユーザ命令を受け取るユーザ命令入力ウィンドウＤは、例えば、ユーザが選択できるメニューを表すメニュー選択ボタンＭ１Ｆ、文字入力ウィンドウＧ、及び送信命令ボタンＨを含むことができる。
【００９９】
ユーザがアイコンＣを選択した場合、ＭＩＭサービスプログラムは、アイコンＣに接続した広告を表示できる。例えば、アイコンＣが選択されると、ＭＩＭサービスプログラムは、広告を表示できるアプリケーションプログラムを呼び出して、広告の保存されたアドレスをアプリケーションプログラムに伝達する。アプリケーションプログラムは、前記アドレス（このアドレスは、端末機が有した保存部の一位置を表すこともでき、これとは異なり、端末機７と通信可能に接続したあるサーバが有した保存部の一位置を表すこともできる）に保存された広告を読み出して表示する。例えば、広告が動画からなる場合には、前記アプリケーションプログラムは、動画を再生できるプログラムでありうる。
【０１００】
図１２は、本発明の一実施の形態にかかるＭＩＭサービスプログラムが提供するユーザインタフェース画面の一例を示す。
【０１０１】
図１０のような画面からユーザが友達検索を選択すると、本ＭＩＭサービスプログラムは、図１２のようなユーザインタフェース画面を表示できる。
【０１０２】
図１２に示すように、本ユーザインタフェース画面は、選択バー（例えば、友達、チャット、友達探し、詳細はこちら）、広告名称を表すプラス（＋）友達目録ウィンドウＮ、友達として推薦する人々の名前を表す推薦友達目録ウィンドウＯを含む。
【０１０３】
プラス（＋）友達目録ウィンドウＮに現れた広告名称のうち、いずれか一つを追加すると（追加ボタンを選択すると）、選択された広告名称は、「友達」として追加されるようになる。例えば、「オンセ家具」を追加したと仮定すると、図１３のように、オンセ家具が友達目録Ｋに追加されるようになる。
【０１０４】
本発明の一実施の形態にかかるＭＩＭサービスプログラムは、端末機が本発明の実施の形態によって広告を受信すると、プラス（＋）友達目録ウィンドウＮに受信した広告を表す広告名称を「プラス（＋）友達目録」に追加する。
【０１０５】
友達目録とプラス（＋）友達目録とは、端末機に保存されるか、またはＭＩＭサービスサーバに保存されていることができる。
【０１０６】
一方、本発明の一実施の形態にかかるＭＩＭサービスプログラムは、自身が初めて実行される時、またはユーザの命令がある場合、端末機が有したマイク（図示せず）をオン状態に転換させる。オン状態になったマイクは、端末機の外部に存在する音響信号を認識でき、認識した結果をＭＩＭサービスプログラムに伝達する。
【０１０７】
ＭＩＭサービスプログラムは、認識した音響信号にプログラムＩＤが存在しているかどうかを判断し、仮に存在すると、プログラムＩＤを抽出して端末機のユーザ情報と共にユーザカスタマイズ型広告提供サーバに送信する。一方、音響信号にＳＴＢ  ＩＤも共に含まれていると、このようなＳＴＢ  ＩＤもプログラムＩＤのようにユーザカスタマイズ型広告提供サーバに送信する。
【０１０８】
以後、ユーザカスタマイズ型広告提供サーバまたは他の装置から広告を受信すると、端末機自身が有したディスプレイ部（図示せず）を介して表示できる。
【０１０９】
本発明の一実施の形態にかかるＭＩＭサービスプログラムは、プログラムＩＤと端末機のユーザ情報を、例えば、ユーザカスタマイズ型広告提供サーバに送信できる。
【０１１０】
オプションとして、ＭＩＭサービスプログラムは、ユーザ情報と共にＳＴＢ  ＩＤも共にユーザカスタマイズ型広告提供サーバに送信できる。ここで、ＳＴＢ  ＩＤは、ＴＶから出力される音響信号に含まれているか、またはＳＴＢから直接受信する。
【０１１１】
他のオプションとして、ＭＩＭサービスプログラムは、友達同士で交換される文字メッセージ（これに限定されるものではない。音声または映像で交換されるデータも含まれる）に予め決めたキーワードがあると、そういうキーワードを導き出し、キーワードの頻度や種類に対する情報（以下、「キーワード情報」）をユーザカスタマイズ型広告提供サーバに送信できる。例えば、「冷蔵庫」という単語がキーワードとして予め登録されていると、同じグループに属した友達同士で交換される文字に「冷蔵庫」が３回出現すると、「冷蔵庫」が３回出現したという内容のキーワード情報をユーザ情報に含めることができる。キーワードは、１つである必要はなく、複数であっても良い。前記キーワードは、例えば端末機に保存されていることができ、ＭＩＭサービスプログラムは、そういうキーワードが文字メッセージ中でどれくらい言及されているかを確認して、ユーザ情報に含めることができる。
【０１１２】
代案として、ＭＩＭサービスプログラムは、セットトップボックス、広告サーバ、または放送サーバのうち、少なくともいずれか一つにユーザ情報及びプログラムＩＤを送信し、ユーザ情報及びプログラムＩＤを送信した所から広告を受信して表示することも可能である。
【０１１３】
以上のような動作をするＭＩＭサービスプログラムのコードの全てが端末機にインストールされるか、またはＭＩＭサービスプログラムのコードの一部は、端末機にインストールされ、残りのコードは、端末機と有線及び／または無線で接続したサーバ（例えば、クラウドサーバやユーザカスタマイズ型広告提供サーバ）にインストールされて実行されるようにする構成も可能である。
【０１１４】
そして、ＭＩＭサービスプログラムのコードは、ユーザカスタマイズ型広告提供サーバ、広告サーバ、放送サーバなどに備えられたコンピュータが読み取り可能な記録媒体に保存されていることができ、端末機の要請があると、端末機に送信されることができる。
【０１１５】
以上のように、図１０と図１１を参照して説明したＭＩＭサービスプログラムは、本出願の出願当時にＫａｋａｏｔａｌｋという商標名で商業化されて実施されるＭＩＭサービスプログラムを対象に本願発明が適用された例を説明したが、これは例示に過ぎず、他の種類のＭＩＭサービスプログラムにも本願発明にかかるＭＩＭサービスプログラムを適用できる。
【０１１６】
図１を参照し続けると、ユーザカスタマイズ型広告提供サーバ９が端末機７からユーザ情報及びプログラムＩＤを受信すると、受信したユーザ情報及びプログラムＩＤを放送サーバ５に送信できる。ユーザカスタマイズ型広告提供サーバ９が放送サーバ５に送信する情報は、端末機７から受信したユーザ情報及びプログラムＩＤそれ自体である必要はなく、それと等価的な機能を果たす情報を送信することも可能である。例えば、端末機７からサーバ９が受信したユーザ情報は、ユーザＩＤでありえ、サーバ９が放送局５に送信するユーザ情報は、年齢、性別に関する情報でありうる。プログラムＩＤは、プログラムを識別できる情報であると、どれでも良い。例えば、チャネル情報と放送時間でもプログラムを特定できるので、このような情報もプログラムＩＤと等価的な機能を果たす情報と言える。
【０１１７】
ユーザカスタマイズ型広告提供サーバ９は、例えば、ＭＩＭサービスを提供するサーバとしての機能も共に具備できる。そして、後述する図２と図３でのユーザカスタマイズ型広告提供サーバ１９、３９も、ＭＩＭサーバとしての機能を追加的に有するように構成されることができる。
【０１１８】
放送サーバ５は、ユーザ情報、プログラムＩＤ、及び／またはＳＴＢ  ＩＤに基づいてカスタマイズ型広告を選択し、前記カスタマイズ型広告を放送プログラムに挿入したユーザカスタマイズ放送を構成した後、ＳＴＢ３に送信する。ＳＴＢ３は、受信したユーザカスタマイズ放送をＴＶ１に提供する。
【０１１９】
カスタマイズ型広告を放送プログラムに挿入する実施の形態には、放送プログラムの一領域に字幕の形態または映像の形態を有するようにカスタマイズ型広告を挿入するか、または放送プログラムと放送プログラムとの間に存在する既存の広告の代りにカスタマイズ型広告を挿入できる。
【０１２０】
本願明細書において、「放送プログラム」とは、ユーザ情報、プログラムＩＤ、及び／またはＳＴＢ  ＩＤに基づいて選択した広告が挿入される前の任意のすべての放送を意味し、したがって「放送プログラム」は、広告を含んでいないか、または他の広告（ユーザ情報、プログラムＩＤ、及び／またはＳＴＢ  ＩＤに基づいて選択されたことでない広告）を既に含んでいることができる。
【０１２１】
放送サーバ５が、ユーザ情報に基づいて広告を選択するとき、例えばユーザのＴＶ視聴パターン、ＭＩＭサービス上のチャット内容、ＭＩＭ上の友達の数と友達の特性（年齢、家族、学校同門等）のようなユーザに対する付加的な情報とキーワード情報も共に考慮して、広告を選択できる。本願明細書において、「ユーザ情報」とは、例えば、ユーザ自体に対する情報（ユーザの年齢等）だけでなく、前記ユーザに対する付加的な情報とキーワード情報も含む概念として使用することにする。
【０１２２】
放送サーバ５は、例えば、ユーザ情報を参照してユーザの年齢または性別に応じて広告を選択でき、選択した広告を本然の放送プログラムの間に入れるか、または放送プログラム上に挿入（例えば、ＴＶ画面の下段に字幕の形態を有するように）して、ユーザカスタマイズ放送を構成した後にＳＴＢ３に送信できる。
【０１２３】
他の例として、放送サーバ５は、プログラムＩＤを参照して、プログラムＩＤが指定するプログラムに使用された製品または出演者が使用する製品（例えば、間接広告製品）に対した広告を選択し、選択した広告を本然の放送プログラムに挿入してＳＴＢ３に送信できる。
【０１２４】
さらに他の例として、放送サーバ５は、ｉ）プログラムＩＤ及び／またはユーザ情報と、ｉｉ）ＳＴＢ  ＩＤとを利用して広告を選択できる。ここで、ＳＴＢ  ＩＤは、放送サーバ５がユーザの位置がどこであるかを判断するのに使用されることができる。例えば、放送サーバ５は、ＳＴＢ  ＩＤを介してユーザの位置を判断でき、ユーザが公共場所、家、または会社にいるかどうかに応じて広告を選択できる。
【０１２５】
他の例として、放送サーバ５は、ＳＴＢ  ＩＤが同じユーザがいると、そういうユーザは、同じ位置にいると判断でき、同じ位置にいる人々に共通的に合う広告を選択できる。これとは異なり、ユーザの情報（例えば、性別、年齢など）を参照して、同じ位置にいる人々の中で広告効果の大きな人に合う広告を選択することができる。
【０１２６】
上述のように、ＳＴＢ  ＩＤを利用する実施の形態は、どんな位置にどんな人々が集まってＴＶ１を視聴するかが分かるので、カスタマイズ型広告を選択するのに有用でありうる。
【０１２７】
図１の実施の形態において、放送サーバ５がユーザカスタマイズ放送をＳＴＢ３に送信するためには、放送サーバ５は、ＳＴＢ３に固有に付与されたＩＤを知っていなければならない。
【０１２８】
放送サーバ５がＳＴＢ  ＩＤを知る方法は、例えば、次のような方法が可能でありうる。
【０１２９】
第１に、ＳＴＢ５が自身のＳＴＢ  ＩＤを放送サーバ５に送信する方法。
【０１３０】
第２に、ユーザカスタマイズ広告提供サーバ９から放送サーバ５にＳＴＢ  ＩＤを送信する方法。
【０１３１】
前記の第２の方法により具現化される場合は、ユーザカスタマイズ広告サーバ９が、ユーザ情報及びプログラムＩＤを放送サーバ５に送信する時、ＳＴＢ５のＳＴＢ  ＩＤも共に送信する方法により具現化できる。もちろん、ユーザ情報及びプログラムＩＤと、ＳＴＢ５のＳＴＢ  ＩＤが必ず同時に放送サーバ５に送信される必要はなく、互いに異なる時刻に送信されることも可能である。
【０１３２】
ユーザカスタマイズ広告提供サーバ９は、ユーザ端末機７からＳＴＢ５のＳＴＢ  ＩＤを受信して予め保存しているか、またはユーザ端末機７からユーザ情報及びプログラムＩＤを受信するごとに、ＳＴＢ５のＳＴＢ  ＩＤも共に受信することができる。
【０１３３】
ユーザ端末機７は、ＳＴＢ  ＩＤをＳＴＢ５からＷＩＦＩやブルートゥースのように無線で直接受信することができる。代案として、ユーザ端末機７は、ＳＴＢ５に搭載されたＷＩＦＩＭＡＣアドレスあるいはブルートゥースＭＡＣアドレスを収集して、ＳＴＢ  ＩＤとして使用することができる。代案として、ユーザ端末機７は、ＴＶ１から出力される音響信号からＳＴＢ  ＩＤを得ることができる。このような場合、ＴＶ１から出力される音響信号には、プログラムＩＤだけでなくＳＴＢ  ＩＤが共に含まれている。ＴＶ１から出力される音響信号にＳＴＢ  ＩＤを挿入する動作を行う装置は、例えばＳＴＢ３や放送サーバ５でありうる。
【０１３４】
図２は、本発明の他の実施の形態にかかるユーザカスタマイズ型広告提供システムを説明するための図である。
【０１３５】
図２に示すように、映像及び音響信号を出力するＴＶ１１、ＴＶ１１にユーザが選択したチャネルのプログラムを映像及び音響信号として出力するＳＴＢ１３、ＳＴＢ１３に放送信号を送信する放送サーバ１５、端末機１７、広告サーバ１８、及びユーザカスタマイズ型広告提供サーバ１９を備えることができる。
【０１３６】
図１の実施の形態と図２の実施の形態とを比較すると、ユーザカスタマイズ型広告提供サーバ１９が端末機１７から受信したユーザ情報とプログラムＩＤを放送サーバ１５でないＳＴＢ１３に送信するという点において第１番目の差異があり、第２番目は、ＳＴＢ１３が広告サーバ１８から広告の提供を受け、提供された広告のうち、端末機１７から受信したユーザ情報とプログラムＩＤとに基づいて選択し、選択した広告を放送プログラムに挿入してユーザカスタマイズ放送を構成した後、ＴＶ１１を介して出力するという点において差異がある。
【０１３７】
図２の一実施の形態によれば、ＳＴＢ１３は、広告を保存及び管理する広告サーバ１８から一定分量の広告を予め受信して保存しておいてから、これらの保存した広告の中からユーザ情報とプログラムＩＤに基づいて選択し、選択した広告を本然の放送プログラムに挿入してユーザカスタマイズ放送を構成できる。
【０１３８】
他の例として、ＳＴＢ１３は、自身の位置を知っているので、ユーザが公共場所、家、または会社にいるかどうかに応じて広告を選択できる。
【０１３９】
さらに他の例として、ＳＴＢ１３は、ＳＴＢ  ＩＤが同じユーザがいる場合には、そういうユーザは、同じ位置にいると判断し、同じ位置で視聴する人々に共通的に合う広告を選択できる。これとは異なり、ユーザの情報（例えば、性別、年齢など）を参照して、同じ位置にいる人々の中で広告効果の大きな人に合う広告を選択することもできる。
【０１４０】
図２の代案的な実施の形態によれば、ＳＴＢ１３は、ユーザ情報、プログラムＩＤ、及び／またはＳＴＢ  ＩＤを、広告を保存管理する広告サーバ１８に送信し、広告サーバ１８は、自分１８が保存している広告のうち、受信したユーザ情報、プログラムＩＤ、及び／またはＳＴＢ  ＩＤに基づいて広告を選択した後、選択した広告をＳＴＢ１３に送信する。ＳＴＢ１３は、広告サーバ１８から受信した広告を放送サーバ１５から受信した放送プログラムに挿入してユーザカスタマイズ放送を構成して、ＴＶ１１に提供する。
【０１４１】
端末機１７がユーザ情報とプログラムＩＤを放送サーバ１５でないＳＴＢ１３に送信することを除いては、端末機１７とユーザカスタマイズ型広告提供サーバ１９の機能は、図１の実施の形態の端末機７とユーザカスタマイズ型広告提供サーバ９の機能と同一または類似する。
【０１４２】
端末機１７に備えられたコンピュータが読み取り可能な記録媒体（図示せず）には、ＭＩＭサービスプログラムが保存されており、これは、例えば、ユーザカスタマイズ型広告提供サーバ１９から受信したことでありうる。
【０１４３】
本実施の形態にかかるＭＩＭサービスプログラムは、端末機１７に、ＴＶ１１から出力された音響信号に含まれたプログラムＩＤを認識するステップ、プログラムＩＤとユーザ情報及び／またはＳＴＢ１３のＳＴＢ  ＩＤをユーザカスタマイズ型広告提供サーバ１９に送信するステップ、ユーザカスタマイズ型広告提供サーバ１９またはユーザカスタマイズ型広告提供サーバ１９と通信可能に接続したＳＴＢ１３から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについての詳細な説明は、図１０ないし図１３を参照してほしい。
【０１４４】
一方、図２のユーザカスタマイズ型広告提供サーバ９は、ＭＩＭサービスを提供できるＭＩＭサーバとしての機能を追加的に具備できる。
【０１４５】
図２の実施の形態において、ユーザカスタマイズ型広告提供サーバ１９がユーザ情報とプログラムＩＤをＳＴＢ１３に送信するためには、ユーザカスタマイズ型広告提供サーバ１９は、ＳＴＢ１３のＩＤを知っていなければならない。
【０１４６】
例えば、ユーザカスタマイズ広告提供サーバ９は、ユーザ端末機７からＳＴＢ５のＳＴＢ  ＩＤを受信して予め保存しているか、またはユーザ端末機７からユーザ情報及びプログラムＩＤを受信するごとにＳＴＢ５のＳＴＢ  ＩＤも共に受信することができる。
【０１４７】
以上説明した図２の実施の形態でも、広告を選択する時に用いられるユーザ情報には、ユーザに対する情報（年齢、趣味など）の他にユーザに対する付加的な情報もさらに含むことができる。
【０１４８】
図２の他の代案的な実施の形態として、広告サーバ１８がないように具現することも可能である。このような場合、放送サーバ１５が広告をＳＴＢ１３に送信し、ＳＴＢ１３は、放送サーバ１５から受信した広告のうち、ユーザカスタマイズ型広告サーバ１９から受信したユーザ情報、及びプログラムＩＤとＳＴＢ  ＩＤを利用してユーザカスタマイズ型広告を選択した後、放送プログラムに挿入してＴＶ１１に出力する。
【０１４９】
図３は、本発明の他の実施の形態にかかるユーザカスタマイズ型広告提供システムを説明するための図である。
【０１５０】
図３に示すように、ＴＶ３１、ＳＴＢ３３、放送サーバ３５、端末機３７、広告サーバ３８、及びユーザカスタマイズ型広告提供サーバ３９を備えることができる。
【０１５１】
図３の実施の形態と図２の実施の形態とを比較すると、ユーザカスタマイズ型広告提供サーバ３９が端末機３７から受信したユーザ情報、プログラムＩＤ、及び／またはＳＴＢ  ＩＤをＳＴＢ３３でない広告サーバ３８に送信するという点で差異があり、また広告サーバ３８が、自身が保存していた広告のうち、ユーザカスタマイズ型広告提供サーバ３９から受信したユーザ情報、プログラムＩＤ、及び／またはＳＴＢ  ＩＤに基づいて選択し、選択した広告をＳＴＢ３３に送信し、ＳＴＢ３３は、広告サーバ３から受信した広告を放送サーバ３５から受信した放送プログラムに挿入して、ユーザカスタマイズ放送を構成した後、ＴＶ３１に送信するという点において差異がある。
【０１５２】
端末機３７がユーザ情報とプログラムＩＤとをＳＴＢ３３ではない広告サーバ３３に送信するという点を除いては、端末機３７とユーザカスタマイズ型広告提供サーバ３９との機能は、図２の実施の形態の端末機１７とユーザカスタマイズ型広告提供サーバ１９との機能と同一または類似する。
【０１５３】
端末機１７と同様に、端末機３７もやはり、ＴＶ３１から出力される音響信号にＳＴＢ  ＩＤが含まれた場合、ＳＴＢ  ＩＤを抽出できる。端末機３７は、抽出したＳＴＢ  ＩＤをユーザ情報及びプログラムＩＤと共に広告サーバ３３に送信する。広告サーバ３３は、ユーザ情報、プログラムＩＤ、及び／またはＳＴＢ  ＩＤを利用してユーザカスタマイズ型広告を選択した後、端末機１７から受信したＳＴＢ  ＩＤを有したＳＴＢ３３にユーザカスタマイズ型広告を送信する。
【０１５４】
端末機３７に備えられたコンピュータが読み取り可能な記録媒体（図示せず）に保存されるＭＩＭサービスプログラムは、本発明の一実施の形態にかかるＭＩＭサービスプログラムでありえ、外部装置、例えばユーザカスタマイズ型広告提供サーバ３９から受信したことでありうる。
【０１５５】
本実施の形態にかかるＭＩＭサービスプログラムは、端末機３７に、ＴＶ３１から出力された音響信号に含まれたプログラムＩＤを認識するステップ、プログラムＩＤとユーザ情報及び／またはＳＴＢ３３のＳＴＢ  ＩＤを広告サーバ３８に送信するステップ、広告サーバ３８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１５６】
ユーザカスタマイズ型広告提供サーバ１９が広告サーバ３３にユーザ情報とプログラムＩＤを送信するためには、広告サーバ３３のアドレスを知っていなければならず、これは、管理者が広告サーバ３３のアドレスをユーザカスタマイズ型広告提供サーバ１９に保存させておくことができる。代案として、ＴＶ３１から出力される音響信号に広告サーバ３３のアドレスが含まれるように構成し、端末機３７が広告サーバ３３のアドレスを認識してユーザカスタマイズ型広告提供サーバ１９に提供することもできる。この代案の場合、ＳＴＢ３３がＴＶ１１に出力する音響信号に広告サーバ３３のアドレスを含めておくことができる。
【０１５７】
図４は、本発明の他の実施の形態にかかるユーザカスタマイズ型広告提供システムを説明するための図である。
【０１５８】
図４に示すように、ＴＶ４１、ＳＴＢ４３、放送サーバ４５、端末機４７、広告サーバ４８、及びユーザカスタマイズ型広告提供サーバ４９を備えることができる。
【０１５９】
図４の実施の形態によれば、端末機４７がＴＶ４１から出力される音響信号からプログラムＩＤ（ＳＴＢ  ＩＤがある場合には、ＳＴＢ  ＩＤも共に抽出）を抽出して、ユーザ情報と共にユーザカスタマイズ型広告提供サーバ４９に提供するという点は、上述の実施の形態と同一または類似する。
【０１６０】
端末機４７に備えられたコンピュータが読み取り可能な記録媒体（図示せず）に保存されるＭＩＭサービスプログラムは、本発明の一実施の形態にかかるＭＩＭサービスプログラムでありえ、外部装置、例えばユーザカスタマイズ型広告提供サーバ４９から受信したことでありうる。
【０１６１】
本実施の形態にかかるＭＩＭサービスプログラムは、端末機４７に、ＴＶ４１から出力された音響信号に含まれたプログラムＩＤを認識するステップ、プログラムＩＤとユーザ情報及び／またはＳＴＢ４３のＳＴＢ  ＩＤをユーザカスタマイズ型広告提供サーバ４９に送信するステップ、ユーザカスタマイズ型広告提供サーバ４９またはユーザカスタマイズ型広告提供サーバ４９と通信可能に接続した広告サーバ４８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１６２】
ユーザカスタマイズ型広告提供サーバ４９は、ユーザ情報とプログラムＩＤ（ＳＴＢ  ＩＤがある場合には、ＳＴＢ  ＩＤも共に送信）を広告サーバ４８に送信し、広告サーバ４８では、ユーザ情報、プログラムＩＤ、及び／またはＳＴＢ  ＩＤに基づいてユーザカスタマイズ型広告を選択した後、放送サーバ４９に送信する。
【０１６３】
放送サーバ４９は、広告サーバ４８から受信したユーザカスタマイズ型広告を放送プログラムに挿入して、ＳＴＢ４３に送信する。
【０１６４】
図５は、本発明の他の実施の形態にかかるユーザカスタマイズ型広告提供システムを説明するための図である。
【０１６５】
図５に示すように、ＴＶ５１、ＳＴＢ５３、放送サーバ５５、ＭＩＭサーバ５６、端末機５７、広告サーバ５８、及びユーザカスタマイズ型広告提供サーバ５９を備えることができる。
【０１６６】
図５の実施の形態と上述の図１ないし図４の実施の形態とを比較すると、ＭＩＭサーバ５６を追加的に具備しているという点において差異がある。
【０１６７】
端末機５７は、ＴＶ５１から出力される音響信号からプログラムＩＤ（ＳＴＢ  ＩＤがある場合には、ＳＴＢ  ＩＤも共に抽出）を抽出して、ユーザ情報と共にＭＩＭサーバ５６に送信し、ＭＩＭサーバ５６がユーザカスタマイズ型広告提供サーバ５９に提供するという点は、上述の実施の形態と差異がある。
【０１６８】
端末機５７に備えられたコンピュータが読み取り可能な記録媒体（図示せず）に保存されるＭＩＭサービスプログラムは、本発明の一実施の形態にかかるＭＩＭサービスプログラムであっても良く、外部装置、例えばＭＩＭサーバ５６から受信したことであっても良い。
【０１６９】
本実施の形態にかかるＭＩＭサービスプログラムは、端末機５７に、ＴＶ５１から出力された音響信号に含まれたプログラムＩＤを認識するステップ、プログラムＩＤとユーザ情報及び／またはＳＴＢ５３のＳＴＢ  ＩＤをＭＩＭサーバ５６に送信するステップ、ＭＩＭサーバ５６またはＭＩＭサーバ５６と通信可能に接続したＳＴＢ５３、放送サーバ５６、または広告サーバ５８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１７０】
ＭＩＭサーバ５６は、プログラムＩＤとユーザ情報とをユーザカスタマイズ型広告提供サーバ５９に提供し、ユーザカスタマイズ型広告提供サーバ４９は、ユーザ情報とプログラムＩＤ（ＳＴＢ  ＩＤがある場合には、ＳＴＢ  ＩＤも共に送信）とを放送サーバ５５に送信するか（ＴＹＰＥ  １）、広告サーバ５８に送信するか（ＴＹＰＥ  ２）、またはＳＴＢ５３に送信できる（ＴＹＰＥ  ３）。すなわち、図５の実施の形態は、上の三通りのＴＹＰＥの中で、いずれか一つのＴＹＰＥにより具現化されることができる。
【０１７１】
ＴＹＰＥ１により具現化される場合は、前述の図１の実施の形態と同様にユーザカスタマイズ型広告が選択されることができる。すなわち、放送サーバ５５は、ユーザ情報、プログラムＩＤ、及び／またはＳＴＢ  ＩＤを利用してユーザカスタマイズ型広告を選択して、ＳＴＢ５３に送信する。
【０１７２】
ＴＹＰＥ２により具現化される場合は、前述の図３の実施の形態と同様にユーザカスタマイズ型広告が選択されることができる。すなわち、広告サーバ５８は、ユーザ情報、プログラムＩＤ、及び／またはＳＴＢ  ＩＤを利用してユーザカスタマイズ型広告を選択して、ＳＴＢ５３に送信する。
【０１７３】
ＴＹＰＴ３により具現化される場合は、前述の図２の実施の形態と同様にユーザカスタマイズ型広告が選択されることができる。すなわち、ＳＴＢ１３は、ユーザカスタマイズ型広告を選択できる。
【０１７４】
図６は、本発明の他の実施の形態にかかるユーザカスタマイズ型広告提供システムを説明するための図である。
【０１７５】
図６に示すように、ＴＶ６１、ＳＴＢ６３、放送サーバ６５、ＭＩＭサーバ６６、端末機６７、広告サーバ６８、及びユーザカスタマイズ型広告提供サーバ６９を備えることができる。
【０１７６】
端末機６７に備えられたコンピュータが読み取り可能な記録媒体（図示せず）に保存されるＭＩＭサービスプログラムは、本発明の一実施の形態にかかるＭＩＭサービスプログラムであっても良く、外部装置、例えばＭＩＭサーバ６６から受信したことであっても良い。
【０１７７】
本実施の形態にかかるＭＩＭサービスプログラムは、端末機６７に、ＴＶ６１から出力された音響信号に含まれたプログラムＩＤを認識するステップ、プログラムＩＤとユーザ情報及び／またはＳＴＢ６３のＳＴＢ  ＩＤをＭＩＭサーバ６６に送信するステップ、ＭＩＭサーバ６６またはＭＩＭサーバ６６と通信可能に接続した広告サーバ６８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１７８】
図６と図５の実施の形態とを比較すると、ユーザカスタマイズ型広告提供サーバ５９がユーザ情報とプログラムＩＤ（ＳＴＢ  ＩＤがある場合には、ＳＴＢ  ＩＤも共に送信）を広告サーバ６８に送信し、広告サーバ６８は、ユーザ情報、プログラムＩＤ、及び／またはＳＴＢ  ＩＤを利用してユーザカスタマイズ型広告を選択して放送サーバ６５に送信するという点だけで差がある。以後の動作は、前述の図４の実施の形態と同一または類似するので省略することにする。
【０１７９】
図７は、本発明の他の実施の形態にかかるユーザカスタマイズ型広告提供システムを説明するための図である。
【０１８０】
図７に示すように、本ユーザカスタマイズ型広告提供システムは、ＴＶ７１、ＳＴＢ７３、放送サーバ７５、ＭＩＭサーバ７６、端末機７７、広告サーバ７８、及びユーザカスタマイズ型広告提供サーバ７９を備えることができる。
【０１８１】
本実施の形態は、図５の実施の形態の変形例であり、図５の実施の形態との差異点を中心に説明する。
【０１８２】
図７の実施の形態において、端末機７７ａ、７７ｂ、７７ｃは、それぞれ自身の固有ＩＤであるＵＩＤ＿ａ、ＵＩＤ＿ｂ、ＵＩＤ＿ｃをスピーカを介して音響信号として出力できる。また、端末機７７ａ、７７ｂ、７７ｃは、それぞれ他の端末機から出力される音響信号に含まれたＵＩＤを認識して抽出できる。
【０１８３】
端末機７７ａを例に挙げて説明すると、端末機７７ａは、自身のＩＤ  ＵＩＤ＿ａをスピーカを介して音響信号として出力でき、このような音響信号は、他の端末機７７ｂ、７７ｃにより認識されることができる。
【０１８４】
端末機７７ａは、また他の端末機７７ｂ、７７ｃから出力される音響信号に含まれたＩＤを抽出できる。
【０１８５】
端末機７７ａは、ＴＶ７１から出力される音響信号から抽出したプログラムＩＤと、自分７７ａと同じ場所にある端末機のＩＤ（例えば、ＵＩＤ＿ｂ、ＵＩＤ＿ｃ）と自分７７ａのユーザ情報をＭＩＭサーバ７６に送信する。他の端末機７７ｂ、７７ｃも、端末機７７ａと同一類似の動作を行うことができる。
【０１８６】
ＭＩＭサーバ７６は、プログラムＩＤ、ユーザ情報、及び端末機のＩＤ（端末機のＩＤの代りに端末機７７ｂ、７７ｃのユーザ情報を送信しても良い）をユーザカスタマイズ型広告提供サーバ７９に提供し、ユーザカスタマイズ型広告提供サーバ７９は、プログラムＩＤ、ユーザ情報、及び端末機のＩＤ（または端末機７７ｂ、７７ｃのユーザ情報）を放送サーバ７５、放送サーバ７８、またはＳＴＢ７３に送信する。放送サーバ７５、放送サーバ７８、またはＳＴＢ７３では、ユーザ情報、及びプログラムＩＤだけでなく、同じ場所にある端末機のＩＤを参照して、ユーザカスタマイズ型広告を選択できる。
【０１８７】
端末機７７ａ、７７ｂ、７７ｃから自分のＩＤを音響信号に含めて出力し、他の端末機から出力される音響信号に含まれたＩＤを抽出する技術は、例えば、図１の実施の形態の説明時に言及した本発明者が出願した特許出願に開示された方法を使用することができる。
【０１８８】
図７において説明していない他の構成要素の動作は、図５の実施の形態のものと同一または類似するので、省略する。
【０１８９】
図７の実施の形態のように、同じ位置にいるユーザが誰なのかが分かるので、そのユーザの全部に合う広告を提供できるようになる。
【０１９０】
図９は、本発明のユーザカスタマイズ型広告提供方法を説明するための図である。
【０１９１】
図９に示すように、本発明の一実施の形態にかかる本発明のユーザカスタマイズ型広告提供方法は、ＳＴＢ、広告サーバ、及び放送サーバのうち、少なくともいずれか一つがプログラムＩＤ及びユーザ情報を受信する（Ｓ２０１）。ここで、ユーザ情報は、ユーザに対する付加的な情報を含むことができる。
【０１９２】
一方、ステップＳ２０１の代案として、ＴＢ、広告サーバ、及び放送サーバのうち、少なくともいずれか一つは、プログラムＩＤ及びユーザ情報と共にＳＴＢ  ＩＤも共に受信することができる。
【０１９３】
ステップＳ２０１においてプログラムＩＤ及びユーザ情報を受信したＳＴＢ、広告サーバ、及び放送サーバのうち、少なくとも一つは、広告を選択してユーザカスタマイズ放送を構成する（Ｓ２０５）。ステップＳ２０５を行うにおいて、ＳＴＢ、広告サーバ、及び放送サーバのうち、いずれか一つが行われるか、またはこれらのうち、２種類以上が有機的に接続されて行うことができる。ステップＳ２０５の代案として、ＳＴＢ、広告サーバ、及び放送サーバのうち、少なくとも一つは、プログラムＩＤ、ユーザ情報、及び／またはＳＴＢ  ＩＤを利用して広告を選択して、ユーザカスタマイズ放送を構成することもできる。
【０１９４】
ステップＳ２０５にて構成されたユーザカスタマイズ放送は、ＴＶに送信される。
【０１９５】
図９によるユーザカスタマイズ型広告提供方法は、前述の図１ないし図７で説明したシステムのうちのいずれか一つのシステムにより具現化されることができる。
【０１９６】
図１４は、本発明の一実施の形態にかかるコンピュータの構成を説明するための図である。図１４に示すように、本発明の一実施の形態にかかるコンピュータは、プログラムロジック１０１、プロセッサ１０３、保存部１０５、メモリ１０７を備えることができる。
【０１９７】
図１４のコンピュータは、スマートフォン、ＰＤＡのようなモバイル機器、デスクトップ￥ＰＣ、タブレットＰＣ、またはサーバのようなコンピュータシステムのうちのいずれか一つでありうるが、これらに限定されるものでない。
【０１９８】
一方、上述の実施の形態における端末機、広告サーバ、またはユーザカスタマイズ型広告提供サーバは、図１４のコンピュータのような構成により具現化されることができ、上述の図８ないし図１０において説明した方法またはＭＩＭサービスプログラムが図１４のコンピュータのような構成により具現化されることができる。
【０１９９】
上述の実施の形態における端末機が図１４のコンピュータのような構成により具現化される場合、図１４のコンピュータは、ディスプレイ部（図示せず）とスピーカ（図示せず）をさらに備えることができる。
【０２００】
プログラムロジック１０１は、コンピュータで実行可能なコード（Ｃｏｄｅ）の形態により具現化されることができ、保存部１０５に保存されていてから、コンピュータプロセッサ１０３の制御によりメモリ１０７にローディングされて動作できる。
【０２０１】
例えば、プログラムロジック１０１は、図１ないし図７、及び図１０を参照して説明した端末機、広告サーバ、またはユーザカスタマイズ型広告提供サーバの動作を行うコード（ｃｏｄｅ）を含むことができる。
【０２０２】
他の例として、プログラムロジック１０１は、図８と図９を参照して説明した方法を行うコード（ｃｏｄｅ）を含むことができる。
【０２０３】
他の例として、プログラムロジック１０１は、ＭＩＭサービスプログラム及びＭＩＭサービスプログラムが実行するのに必要なプログラムを含むことができる。
【０２０４】
以上説明した実施の形態において、コンピュータで実行可能なプログラムのコードにより具現化される構成要素は、ハードウェアロジックによっても具現化が可能である。ハードウェアロジックにより具現化される場合には、コンピュータプロセッサ１０３に内蔵された形態により具現化されるか、またはコンピュータプロセッサ１０３とは別のハードウェアにより具現化されることができる。
【０２０５】
以上説明した実施の形態は、次のように変形実施が可能である。
【０２０６】
ＭＩＭサービスのためのサーバ（以下、ＭＩＭサーバとする）は、ユーザカスタマイズ型広告提供サーバと広告を選択する装置（例えば、放送サーバ、ＳＴＢ、または広告サーバ）の間に位置するように配置されることも可能である。
【０２０７】
このような場合には、端末機（例えば、端末機にインストールされたＭＩＭサービスプログラム）は、ユーザ情報、プログラムＩＤ、及び／またはＳＴＢ  ＩＤをユーザカスタマイズ型広告提供サーバに送信し、ユーザカスタマイズ型広告提供サーバがＭＩＭサーバにユーザ情報、プログラムＩＤ、及び／またはＳＴＢ  ＩＤを送信する。ＭＩＭサーバは、端末機から受信したユーザ情報、プログラムＩＤ、及び／またはＳＴＢ  ＩＤをそのままカスタマイズ型広告提供サーバに送信することもでき、ユーザ情報にＭＩＭ上のチャット内容を分析した結果を含めて、広告を選択する装置（ＳＴＢ、放送サーバ、または広告サーバ）に送信する。
【０２０８】
上述の実施の形態において、ユーザ情報、プログラムＩＤ、及び／またはＳＴＢ  ＩＤを利用して広告を選択する装置は、端末機でない端末機と通信可能に接続した外部装置（または、この外部装置と通信可能に接続した他の装置）であることを例として説明した。しかしながら、広告を選択する装置は、必ず外部装置である必要はなく、端末機の自身が広告を選択することもできる。すなわち、端末機は、ユーザ情報、プログラムＩＤ、及び／またはＳＴＢ  ＩＤを利用して、端末機のユーザに合うカスタマイズ型広告を選択してユーザに知らせるか、または表示できる。
【０２０９】
以上、本発明は、限定された実施の形態と図面により説明されたが、本発明は、上記の実施の形態に限定されるものではなく、本発明が属する分野における通常の知識を有した者であれば、このような記載から多様な修正及び変形が可能である。
【０２１０】
本発明の範囲は、説明された実施形態に限定されてはならず、後述する特許請求の範囲だけでなく、この特許請求の範囲と均等なものによって定められねばならない。
【符号の説明】
【０２１１】
１、１１、３１                  ＴＶ
３、１３、３３                  セットトップボックス
５、１５、３５                  放送サーバ
７、１７、３７                  端末機
１８、３８                      広告サーバ
９、１９、３９                  ユーザカスタマイズ型広告提供サーバ
【図１】
2016523014.tif 000003
【図２】
2016523014.tif 000004
【図３】
2016523014.tif 000005
【図４】
2016523014.tif 000006
【図５】
2016523014.tif 000007
【図６】
2016523014.tif 000008
【図７】
2016523014.tif 000009
【図８】
2016523014.tif 000010
【図９】
2016523014.tif 000011
【図１０】
2016523014.tif 000012
【図１１】
2016523014.tif 000013
【図１２】
2016523014.tif 000014
【図１３】
2016523014.tif 000015
【図１４】
2016523014.tif 000016
【手続補正書】
【提出日】平成27年11月17日(2015.11.17)
【手続補正１】
【補正対象書類名】明細書
【補正対象項目名】全文
【補正方法】変更
【補正の内容】
【発明の詳細な説明】
【技術分野】
【０００１】
本発明は、ＴＶから出力される音響信号に基づいたユーザカスタマイズ型広告提供システム、ユーザカスタマイズ型広告を提供する方法、及びＭＩＭ（Ｍｏｂｉｌｅ  Ｉｎｓｔａｎｔ  Ｍｅｓｓｅｎｇｅｒ）サービスプログラムを記録したコンピュータで読み取り可能な記録媒体に関する。
【背景技術】
【０００２】
従来、ユーザにカスタマイズ型で広告を提供する方法は、広く知られている。例えば、以下の特許文献１（ユーザカスタマイズ広告サービスを提供するシステム及びその動作方法）、特許文献２（ユーザカスタマイズ型ＩＰＴＶ広告提供システム及び広告提供方法）のように、多様な方法でユーザにカスタマイズ型広告を提供している。
【先行技術文献】
【特許文献】
【０００３】
【特許文献１】韓国公開特許第２０１２−００１００９８号公報（２０１２．０２．０２）
【特許文献２】韓国公開特許第２０１０−００９４１５４号公報（２０１０．０８．２６）
【発明の概要】
【発明が解決しようとする課題】
【０００４】
本発明は、ユーザにカスタマイズ型広告を提供する技術を改良することを目的とする。
【課題を解決するための手段】
【０００５】
本発明の一実施の形態によれば、ＴＶを視聴するユーザ及び視聴する同僚まで認識してカスタマイズ型広告を提供できる、ユーザカスタマイズ型広告提供システム、ユーザカスタマイズ型広告を提供する方法、及びＭＩＭサービスプログラムを記録したコンピュータで読み取り可能な記録媒体が提供される。
【０００６】
本発明の一実施の形態によれば、現在視聴する放送プログラムに対する情報をＭＩＭサービスアプリケーションが提供する画面上に提供することによって、広告効果を極大化できるユーザカスタマイズ型広告提供システム、ユーザカスタマイズ型広告を提供する方法、及びＭＩＭサービスプログラムを記録したコンピュータで読み取り可能な記録媒体が提供される。
【０００７】
本発明の一実施の形態によれば、既存の放送送信と関連した装備の交替無しで視聴者を認識して、ユーザカスタマイズ型広告を提供できるユーザカスタマイズ型広告提供システム、ユーザカスタマイズ型広告を提供する方法、及びＭＩＭサービスプログラムを記録したコンピュータで読み取り可能な記録媒体が提供される。
【０００８】
本発明の一実施の形態によれば、ＴＶの前で視聴するユーザにユーザカスタマイズ型広告を提供する提供方法であって、前記ユーザの端末機がＴＶから出力された音響信号に含まれたプログラムＩＤを認識するステップと、前記プログラムＩＤと、ユーザ情報及び／または前記ＴＶに接続されて映像及び音声を出力するセットトップボックスのＩＤ（セットトップボックスＩＤとする）に基づいて、前記ユーザに対するカスタマイズ型広告を選択するステップと、前記ユーザの端末機が、前記カスタマイズ型広告を選択するステップにて選択された広告を前記ユーザに知らせるステップと、を含むことを特徴とするユーザカスタマイズ型広告を提供する方法が提供されることができる。
【０００９】
本発明の他の一実施の形態によれば、ＴＶの前で視聴するユーザにユーザカスタマイズ型広告を提供する方法であって、前記ユーザの端末機から、前記ＴＶから外部に出力された音響信号に含まれたプログラムＩＤと、前記ユーザ情報及び／または前記ＴＶに接続されて音声と映像を出力するセットトップボックスのＩＤ（セットトップボックスＩＤとする）を受信するステップと、前記プログラムＩＤと、前記ユーザ情報、及び／または前記セットトップボックスＩＤに基づいて、前記ユーザに対するユーザカスタマイズ型広告を選択するステップと、前記広告を選択するステップにて選択された広告を、前記ユーザ端末機及び／または前記ＴＶに送信するステップと、を含むことを特徴とするユーザカスタマイズ型広告を提供する方法が提供されることができる。
【００１０】
本発明の他の一実施の形態によれば、コンピュータに上述の方法によるユーザカスタマイズ型広告を提供する方法を実行させるためのプログラムを記録したコンピュータで読み取り可能な記録媒体が提供されることができる。
【００１１】
本発明の他の一実施の形態によれば、コンピュータに、ＴＶから出力された音響信号に含まれたプログラムＩＤを認識するステップと、前記プログラムＩＤと、ユーザ情報及び／または前記ＴＶに接続されて映像及び音声を出力するセットトップボックスＩＤ（セットトップボックスＩＤとする）に基づいて、前記ユーザに対するカスタマイズ型広告を選択するステップと、前記ユーザの端末機が、前記カスタマイズ型広告を選択するステップにて選択された広告を前記ユーザに知らせるステップと、を含む方法を実行させるためのＭＩＭサービスプログラムを記録したコンピュータで読み取り可能な記録媒体が提供されることができる。
【００１２】
本発明の他の一実施の形態によれば、サーバと端末機を備えるユーザカスタマイズ型広告提供システムにおける前記サーバであって、前記サーバは、ＭＩＭサービスプログラムを記録したコンピュータで読み取り可能な記録媒体を有し、前記ＭＩＭサービスプログラムは、前記端末機に、前記端末機がＴＶから出力された音響信号に含まれたプログラムＩＤを認識すると、前記プログラムＩＤと、ユーザ情報及び／または前記ＴＶに接続して映像及び音声を出力するセットトップボックスのＩＤ（セットトップボックスＩＤとする）を外部装置に送信するステップと、前記外部装置または前記外部装置と通信可能に接続した他の装置から、前記プログラムＩＤと、前記ユーザ情報、及び／または前記セットトップボックスＩＤに基づいて選択された広告を受信するステップと、広告を受信したことを前記ユーザに知らせるステップと、を含む方法を実行させるためのプログラムであることを特徴とするサーバが提供されることができる。
【発明の効果】
【００１３】
本発明の一つ以上の実施の形態によれば、ＴＶを視聴するユーザを認識できるので、効果的なユーザカスタマイズ型広告をすることができる。
【００１４】
本発明の一つ以上の実施の形態によれば、ＴＶを視聴するユーザ及びそのユーザと共にいる同僚まで認識できるので、より効果的にユーザカスタマイズ型広告をすることができる。
【００１５】
本発明の一つ以上の実施の形態によれば、ＴＶを視聴するユーザ及びそのユーザと共にいる同僚を認識でき、それらに合う広告を端末機あるいはＴＶ放送により提供できるので、より効果的なユーザカスタマイズ型広告をすることができる。
【００１６】
本発明の一つ以上の実施の形態によれば、ＴＶを視聴するユーザ及びそのユーザと共にいる同僚が特定テレビプログラムを視聴したという事実だけでなく、どの地域、そしてどの場所で視聴しているかに関する情報を収集できるので、より効果的なユーザカスタマイズ型広告をすることができる。
【００１７】
本発明の一つ以上の実施の形態によれば、ＭＩＭサービスを利用するユーザのうち、何れか一人のユーザがＴＶを視聴する場合、現在視聴する放送プログラムに対する情報（出演陣、プログラムに使用された製品に対する情報）をＭＩＭアプリケーションが提供する画面上に提供することによって、広告効果を極大化できるようになる。
【００１８】
本発明の一つ以上の実施の形態によれば、プログラムＩＤを音波に入れて識別することによって、少ないデータ量でもユーザカスタマイズ型広告を提供できる。
【図面の簡単な説明】
【００１９】
【図１】本発明の一実施の形態にかかるユーザカスタマイズ型広告提供システムを説明するための図である。
【図２】本発明の他の実施の形態にかかるユーザカスタマイズ型広告提供システムを説明するための図である。
【図３】本発明の他の実施の形態にかかるユーザカスタマイズ型広告提供システムを説明するための図である。
【図４】本発明の他の実施の形態にかかるユーザカスタマイズ型広告提供システムを説明するための図である。
【図５】本発明の他の実施の形態にかかるユーザカスタマイズ型広告提供システムを説明するための図である。
【図６】本発明の他の実施の形態にかかるユーザカスタマイズ型広告提供システムを説明するための図である。
【図７】本発明の他の実施の形態にかかるユーザカスタマイズ型広告提供システムを説明するための図である。
【図８】本発明の一実施の形態にかかる端末機の動作を説明するための図である。
【図９】本発明の一実施の形態にかかるユーザカスタマイズ型広告提供方法を説明するための図である。
【図１０】本発明の一実施の形態にかかるＭＩＭサービスプログラムを説明するための図である。
【図１１】本発明の一実施の形態にかかるＭＩＭサービスプログラムを説明するための図である。
【図１２】本発明の一実施の形態にかかるＭＩＭサービスプログラムを説明するための図である。
【図１３】本発明の一実施の形態にかかるＭＩＭサービスプログラムを説明するための図である。
【図１４】本発明の一実施の形態にかかるコンピュータの構成を説明するための図である。
【発明を実施するための形態】
【００２０】
以上の本発明の目的、他の目的、特徴及び利点は、添付された図面と関連した以下の好ましい実施の形態により容易に理解されるはずである。しかしながら、本発明は、ここで説明される実施の形態に限定されずに他の形態で具体化されうる。むしろ、ここで紹介される実施の形態は、開示された内容が徹底かつ完全になるように、そして当業者に本発明の思想を十分に伝達させるために提供されるものである。
【００２１】
本明細書において、ある構成要素が他の構成要素上にあると言及される場合に、それは、他の構成要素上に直接形成されうるか、又はそれらの間に第３の構成要素が介在されうることを意味する。また、図面において、構成要素の厚さは、技術的内容の効果的な説明のために誇張されたものである。
【００２２】
本明細書において、第１、第２などの用語が構成要素を述べるために使用された場合、これらの構成要素がこのような用語によって限定されてはならない。これらの用語は、但しある構成要素を他の構成要素と区別させるために使用されるだけである。ここに説明され例示される実施の形態は、それの相補的な実施の形態も含む。
【００２３】
本明細書で使用された用語は、実施の形態を説明するためのもので、本発明を限定するものではない。本明細書において、単数形は、特に言及しない限り、複数形も含む。明細書で使用される「含む（ｃｏｍｐｒｉｓｅｓ）」及び／又は「含む（ｃｏｍｐｒｉｓｉｎｇ）」と言及された構成要素は、一つ以上の他の構成要素の存在又は追加を排除しない。
【００２４】
以下、図面を参照して本発明を詳細に説明する。以下の特定実施の形態を述べるにおいて、様々な特定の内容は、発明をさらに具体的に説明し理解に役立つために作成された。しかしながら、本発明を理解することができる程度のこの分野における知識を有した読者は、このような様々な特定の内容がなくても使用されうることを認知できる。ある場合には、発明を述べるにおいて周知で発明と大きく関連のない部分は、本発明を説明するにおいて特別な理由なしで混乱を引き起こすことを防止するために述べないことを予め言及しておく。
【００２５】
本願発明の一つ以上の実施の形態によれば、ユーザカスタマイズ型広告を選択する装置は、セットトップボックス（以下、ＳＴＢとする）、放送サーバ、または広告サーバのうち、いずれか一つでありうる。これらの装置は、以下に述べられる方法のうち、少なくともいずれか一つの方法を使用して、ユーザに合うユーザカスタマイズ型広告を選択できる。
【００２６】
第１の方法は、ユーザ情報を利用してユーザカスタマイズ型広告を選択する方法である。
【００２７】
ユーザ情報は、例えば、ユーザの年齢、性別、または職場などのように個人身上に関する情報を含むことができる。
【００２８】
ユーザ情報は、また、ユーザのＴＶ視聴パターン、ＭＩＭサービスを利用する時のチャット内容（例えば、キーワード情報）、ＭＩＭサービスを通じて互いにチャットする友達の数と友達の特性（年齢、家族、学校同窓など）のようなユーザに対する付加的な情報も含むことができる。本発明の実施の形態においてユーザ情報とは、「ユーザ情報」と「ユーザに対する付加的な情報」をすべて含む概念として使用し、「ユーザ情報」と「ユーザに対する付加的な情報」とを区別する必要がある場合には、両方を区別して使用することにする。
【００２９】
ユーザ情報は、また、自分（ユーザ）の他に自分（ユーザ）と同じ位置でＴＶを共に視聴する他のユーザに対する情報（または他の端末機に対する情報）もさらに含むことができる。
【００３０】
第２の方法は、プログラムＩＤを利用してユーザカスタマイズ型広告を選択する方法である。
【００３１】
例えば、プログラムにおいて間接広告した製品（ハンドバッグ、自動車、帽子、履き物など）またはサービスのうち、少なくともいずれか一つをユーザカスタマイズ型広告として選択できる。
【００３２】
第３の方法は、ＳＴＢ  ＩＤを利用してユーザカスタマイズ型広告を選択する方法である。
【００３３】
ＳＴＢ  ＩＤは、ユーザの位置を知らせることができるので、ユーザの位置が考慮された広告が選択されることができる。
【００３４】
例えば、ＳＴＢがどんな場所（公共場所、家庭、または会社等）にインストールされているかどうかによって、ユーザカスタマイズ型広告が選択されることができる。ＳＴＢ  ＩＤが公共場所にインストールされたＳＴＢを表すと、すべての年齢帯の人に共通する広告が選択されることができ、女性だけの専用物品のうち、恥ずかしい物品に対する広告は選択されないこともできる。
【００３５】
他の例として、ＳＴＢ  ＩＤは、同じＳＴＢ  ＩＤを受信したユーザが同じ場所にいるユーザであることを知らせることができるので、共に視聴する人々を全部考慮して選択された広告が提供されることができる。
【００３６】
第４の方法は、上述の三通りの方法を任意に組み合わせて、ユーザカスタマイズ型広告を選択する方法である。例えば、ｉ）ユーザ情報とプログラムＩＤを共に利用したり、ｉｉ）ユーザ情報とＳＴＢ  ＩＤを共に利用したり、ｉｉｉ）プログラムＩＤとＳＴＢ  ＩＤを共に利用したり、またはｉｖ）ユーザ情報、プログラムＩＤ、及びＳＴＢ  ＩＤをすべて利用する方法があることができる。
【００３７】
以下の実施の形態において、ある装置がユーザカスタマイズ型広告を選択すると言及されると、ユーザカスタマイズ型広告を選択する方法に対して言及しなくても、上の方法のうち、少なくともいずれか一つの方法を使用してユーザカスタマイズ型広告を選択できる。
【００３８】
また、本願発明の一つ以上の実施の形態によれば、プログラムＩＤを放送信号に挿入する装置は、例えば、ＳＴＢまたは放送サーバのうち、いずれか一つでありうる。以下の実施の形態において、放送信号にプログラムＩＤが含まれていると言及されると、どんな方法によりプログラムＩＤが挿入されているかに対して具体的に言及しなくても、ＳＴＢまたは放送サーバにより挿入されたことでありうることを知っていなければならない。
【００３９】
図１は、本発明の一実施の形態にかかるユーザカスタマイズ型広告提供システムを説明するための図である。
【００４０】
図１に示すように、本発明の一実施の形態にかかるユーザカスタマイズ型広告提供システムは、映像及び音響を出力するＴＶ１、放送サーバ５から放送信号を受信し、受信した放送信号の中でユーザが選択したチャネルのプログラムを映像及び音響信号に変換した後、ＴＶ１に出力するＳＴＢ３、ＳＴＢ３に放送信号を送信する装置である放送サーバ５、端末機７、及びユーザカスタマイズ型広告提供サーバ９を備えることができる。
【００４１】
ＴＶ１は、ＳＴＢ３から映像及び音響信号を受信し、これらの信号をユーザが認識可能な形態（例えば、音響及び映像）として出力できる。
【００４２】
ＳＴＢ３は、例えば、ＴＶ内蔵型とＴＶ外蔵型の２通りのタイプがありえ、図１の実施の形態は、ＴＶ外蔵型の例を示したものである。ＳＴＢ３は、ＴＶ外蔵型に限定されず、ＳＴＢ３は、ＴＶ内蔵型でも具現化されることができる。以下、他の実施の形態でも同様である。
【００４３】
本発明の一実施の形態にかかるＳＴＢ３は、例えば、放送サーバ５から地上波基地局、衛星、または有線ケーブルなどを介して、放送信号を受信することができる。
【００４４】
また、本発明の他の実施の形態によれば、ＳＴＢ３は、インターネットプロトコル（ＩＰ）を使用して双方向通信を支援でき、インターネットを介して放送サーバ５から放送信号を受信し、受信した放送信号からユーザが選択したチャネルの放送信号を音声及び映像信号に復調して、ＴＶ１に出力する。
【００４５】
ＳＴＢ３には、他のＳＴＢと区別できるように、識別子（以下、ＳＴＢ  ＩＤとする）が割り当てられており、このようなＳＴＢ  ＩＤは、例えば、ＩＰアドレス及び／またはＭＡＣアドレスになることができるが、これらに限定されるものではないことを当業者は知っていなければならない。
【００４６】
放送サーバ５は、放送信号をブロードキャストできる。
【００４７】
端末機７は、ＴＶ１を視聴するユーザが所持したモバイル通信装置であって、ＴＶ１から出力される音響信号を認識し、認識した音響信号にプログラムＩＤが含まれていると、プログラムＩＤを抽出できる。
【００４８】
一実施の形態によれば、端末機７は、ＴＶ１から出力される音響信号から抽出したプログラムＩＤと、端末機７のユーザ情報をユーザカスタマイズ型広告提供サーバ９に提供できる。後述するが、端末機７は、ＴＶ１から出力される音響信号にＳＴＢ  ＩＤとプログラムＩＤとが含まれている場合には、プログラムＩＤだけでなくＳＴＢ  ＩＤも抽出できる。
【００４９】
ＳＴＢ  ＩＤは、現在ＴＶ１を視聴するユーザにユーザカスタマイズ型広告を提供するために必要な情報であり、なお端末機７のユーザの位置も知らせることができる。
【００５０】
本発明の実施の形態によれば、プログラムＩＤとＳＴＢ  ＩＤを音響信号に挿入する技術と、そして音響信号に挿入されたプログラムＩＤとＳＴＢ  ＩＤを抽出する技術は、例えば、本発明者が２０１２年４月１２日付で韓国特許庁に特許出願した特許出願番号１０−２０１２−００３８１２０号（音響システムを利用してモバイル端末機の位置を推定する位置推定方法及び位置推定システム、並びにこれに使用される音響システム）に開示された技術を利用できる。
【００５１】
他の例として、本発明者が２０１２年７月１８日付で韓国特許庁に特許出願した特許出願番号１０−２０１２−００７８４１０号（近接性データ収集方法及びシステム）に開示された技術（音響信号中にＩＤを含め、音響信号に含まれたＩＤを認識して抽出する技術）を利用することも可能である。
【００５２】
さらに他の例として、本発明者が２０１２年５月１８日付で韓国特許庁に特許出願した特許出願番号１０−２０１２−００５３２８６号（スピーカの識別のためのシステム及びこれを利用した位置推定システム）に開示された技術（音響信号中にＩＤを含め、音響信号に含まれたＩＤを認識して抽出する技術）を利用することも可能である。
【００５３】
他の例として、本発明者が２０１２年７月１８日付で韓国特許庁に特許出願した特許出願番号１０−２０１２−００７８４４６号（近接性情報を利用したユーザ間親密度算出方法及び装置）に開示された技術（音響信号中にＩＤを含め、音響信号に含まれたＩＤを認識して抽出する技術）を利用することも可能である。
【００５４】
一方、上で言及した特許出願の明細書に開示された技術は、すべて本願明細書に結合されて本願明細書の一部として取り扱われなければならない。
【００５５】
本実施の形態において、ユーザカスタマイズ型広告提供サーバ９は、プログラムＩＤとユーザ情報を放送サーバ５に送信し、放送サーバ５は、プログラムＩＤ、ユーザ情報、及び／またはＳＴＢ  ＩＤに基づいて広告を選択し、選択した広告をユーザカスタマイズ型広告提供サーバ９及び／またはセットトップボックス３に提供する。ここで、放送サーバ５がユーザカスタマイズ型広告提供サーバ９に送信する広告と、セットトップボックス３に送信する広告は、必ず同一である必要はなく、互いに異なっても良い。
【００５６】
本実施の形態において、端末機７は、ユーザカスタマイズ型広告提供サーバ９から広告を受信することができ、ここでの「広告」は、「広告」及び／または「広告に接近できるアドレス（例えばリンク）」を含むことができる。
【００５７】
本願明細書において、「広告」とは、「広告」及び／または「広告に接近できるアドレス」を含む意味として使用することにし、ただし「広告」と「広告に接近できるアドレス」とを区別する必要がある場合には、両方を区別して使用することにする。
【００５８】
端末機７は、ユーザカスタマイズ型広告提供サーバ９から受信した広告を端末機７が備えたディスプレイ部（図示せず）とスピーカ（図示せず）を介して出力できる。
【００５９】
端末機７は、例えば、セルラーフォン、スマートフォン、タブレットコンピュータ、ＰＤＡ、ウェアラブルコンピュータなどのような通信可能なモバイル装置でありうる。
【００６０】
本実施の形態において、端末機７が有したコンピュータで読み取り可能な記録媒体（図示せず）（例えば、ＨＤＤ、ＳＳＤ、またはメモリ）には、本発明の一実施の形態にかかるＭＩＭサービスプログラムがインストールされていることができ、このようなＭＩＭサービスプログラムは、ＴＶ１から出力される音響信号からプログラムＩＤを抽出し、抽出したプログラムＩＤとユーザ情報をユーザカスタマイズ型広告提供サーバ９に送信できる。
【００６１】
端末機７に備えられたコンピュータが読み取り可能な記録媒体（図示せず）に保存されるＭＩＭサービスプログラムは、後述する本発明の一実施の形態にかかるＭＩＭサービスプログラムでありえ、外部装置、例えばユーザカスタマイズ型広告提供サーバ９から受信したことでありうる。
【００６２】
本実施の形態にかかるＭＩＭサービスプログラムは、端末機７に、ＴＶ１から出力された音響信号に含まれたプログラムＩＤを認識するステップ、プログラムＩＤとユーザ情報及び／またはＳＴＢ３のＳＴＢ  ＩＤとをユーザカスタマイズ型広告提供サーバ９に送信するステップ、ユーザカスタマイズ型広告提供サーバ９またはユーザカスタマイズ型広告提供サーバ９と通信可能に接続した放送サーバ５から、プログラムＩＤとユーザ情報及び／またはセットトップボックスＩＤに基づいて選択された広告を受信するステップ、及び広告を受信したことをユーザに知らせるステップを含む方法を実行させるプログラムでありうる。ＭＩＭサービスプログラムに対するさらに詳細な説明は、図１０ないし図１３を参照してほしい。
【００６３】
ユーザカスタマイズ型広告提供サーバ９は、コンピュータで読み取り可能な記録媒体（図示せず）を備えることができ、このようなコンピュータで読み取り可能な記録媒体（図示せず）には、本発明の一実施の形態にかかるＭＩＭサービスプログラムが保存されていることができる。ユーザカスタマイズ型広告提供サーバ９は、端末機７の要請があると、ＭＩＭサービスプログラムを端末機７に送信できる。以後、端末機７に送信されたＭＩＭサービスプログラムは、実行可能な形態で端末機７にインストールされることができる。
【００６４】
本願明細書において言及する「コンピュータで読み取り可能な記録媒体」は、端末機、ユーザカスタマイズ型広告提供サーバ、放送サーバ、またはＳＴＢのどこでも位置していることができ、そういう「コンピュータで読み取り可能な記録媒体」には、本発明の一実施の形態にかかるＭＩＭサービスプログラムが保存されていることができる。一方、本実施の形態において、ユーザカスタマイズ型広告提供サーバは、ＳＭＳメッセージまたはＭＩＭメッセージを送信できるメッセージサーバとしての機能もさらに具備していることができる。
【００６５】
以下、図８を参照して、本発明の一実施の形態に他の端末機の動作をさらに詳細に説明する。
【００６６】
図８は、本発明の一実施の形態にかかる端末機の動作を説明するための図である。
【００６７】
図８に示すように、端末機は、ＴＶから出力される音響信号を認識でき（Ｓ１０１）、認識した音響信号にプログラムＩＤがあると、抽出する（Ｓ１０３）。ここで、端末機は、音響信号にＳＴＢ  ＩＤも共に含まれていると、ＳＴＢ  ＩＤも抽出できる。
【００６８】
ステップＳ１０１とステップＳ１０３の動作を行うために、端末機は、マイク（図示せず）を具備しており、ステップＳ１０１の動作を行う前にマイク（図示せず）は、ＴＶ１から出力される音響信号を認識できる状態（このような状態を「オン状態」とする）になっていなければならない。
【００６９】
マイクがオン状態になる時期は、端末機がはじめに駆動される時に、または端末機にインストールされた所定のプログラム（例えば、本願明細書において説明しているＭＩＭサービスプログラム）が駆動される時に、または端末機のユーザの命令を受ける時でありうる。
【００７０】
ある音響信号に含まれたＩＤを認識する技術は、上述のような本出願の発明者が韓国に提出した特許出願らに記載された内容から十分に具現化できるので、本願明細書では、プログラムＩＤを抽出する動作（Ｓ１０３）についての詳細な説明は省略する。
【００７１】
本実施の形態における端末機は、ステップＳ１０３にて抽出したプログラムＩＤ及びユーザ情報を放送サーバに送信できる。一方、後述する実施の形態から分かるように、端末機は、放送サーバでない他の装置、例えばＳＴＢにプログラムＩＤ及びユーザ情報を送信するか、または広告サーバにプログラムＩＤ及びユーザ情報を送信するように変形されて構成されても良い。
【００７２】
本実施の形態における端末機は、ステップＳ１０３にてプログラムＩＤと共にＳＴＢ  ＩＤも抽出された場合には、ＳＴＢ  ＩＤとプログラムＩＤを全部放送サーバに送信する。この場合にも、端末機は、放送サーバでない他の装置等（例えば、ＳＴＢ、広告サーバ）にＳＴＢ  ＩＤを送信するように変形されて構成されても良い。
【００７３】
本実施の形態における端末機は、ＳＴＢ  ＩＤをＷＩＦＩやブルートゥースのような通信方法により、ＳＴＢから直接受信することもできる。
【００７４】
一実施の形態によれば、ユーザ端末機は、ＳＴＢに搭載されたＷＩＦＩ  ＭＡＣアドレスあるいはブルートゥースＭＡＣアドレスを収集して、ＳＴＢ  ＩＤとして使用することができる。このように、端末機がＳＴＢ  ＩＤも収集した場合、プログラムＩＤ、ユーザ情報、及びＳＴＢ  ＩＤを共に放送サーバに送信できる。仮に、ユーザカスタマイズ型広告を選択する装置がＳＴＢまたは広告サーバであると、ＳＴＢ  ＩＤ、プログラムＩＤ、及びユーザ情報は、ＳＴＢまたは広告サーバに送信されることができる。
【００７５】
本実施の形態において、端末機は、放送サーバから広告を受信して（Ｓ１０７）、広告を表示する（Ｓ１０９）。この場合にも、端末機は、放送サーバでない他の装置（例えば、ＳＴＢ、広告サーバ）から広告を受信するように変形されて構成されることができる。ここで、広告は、プログラムＩＤ、ユーザ情報、及び／またはＳＴＢ  ＩＤに基づいて選択されても良い。
【００７６】
本実施の形態において、端末機は、広告を受信すると、ユーザに知らせることができる。例えば、端末機が広告を受信すると、広告を受信したということをアイコンで表示できる（Ｓ１０２）。アイコンは、例えば、端末機が備えたメモリ（図示せず）上において実行されているプログラム（例えば、ＭＩＭ（Ｍｏｂｉｌｅ  Ｉｎｓｔａｎｔ  Ｍｅｓｓａｇｅ）サービスを提供するプログラム）が提供する画面上において表示されることができる。
【００７７】
または、本実施の形態における端末機は、端末機が広告を受信した場合、受信した広告を表す広告名称（または広告と関連した会社名称、または広告と関連したプログラム名称）（以下、通称して広告名称とする）を「プラス（＋）友達目録」に追加して表示するか、またはプログラムＩＤを抽出した場合、またはプログラムＩＤ及びユーザ情報を抽出した場合にも「プラス（＋）友達目録」に広告名称を追加して表示することによって、ユーザに広告を受信したことを知らせることができる。
【００７８】
本願明細書において、「プラス（＋）友達目録」にユーザに推薦する広告の目録を意味する。ユーザが「プラス（＋）友達目録」から広告名称を選択すると、ＭＩＭサービスプログラムは、ユーザにより選択された広告名称を「推薦友達目録」に追加する。「プラス（＋）友達目録」と「推薦友達登録」については、図１０ないし図１３を参照して詳細に説明する。
【００７９】
代案として（ａｌｔｅｒｎａｔｉｖｅｌｙ）、本実施の形態における端末機は、広告名称を「プラス（＋）友達目録」に追加し、同時に前記アイコンも表示できる。
【００８０】
本実施の形態における端末機は、ステップＳ１０２にて表示されたアイコンをユーザが選択した場合、ステップＳ１０７にて受信した広告を音声及び／または映像で表示できる（Ｓ１０４）。これとは異なり、ユーザが友達に登録された広告名称を選択すると、端末機は、選択した広告名称に対応した広告を表示する。
【００８１】
図８の実施の形態において、アイコンを表示するか、または「プラス（＋）友達」に登録するステップは、広告受信と同時にまたはその後に行われると説明したが、代案としてステップＳ１０３またはステップＳ１０５と同時にまたはその以後に行われるように具現化されることも可能である。
【００８２】
本実施の形態において、上述のＳ１０３ないしＳ１０９の動作は、端末機に保存されたＭＩＭサービスプログラムにより行われることができる。
【００８３】
以下、図１、図１０、図１１、図１２、及び図１３を共に参照して、ＭＩＭサービスプログラムをさらに詳細に説明する。
【００８４】
図１０、図１１、図１２、及び図１３は、本発明の一実施の形態にかかるＭＩＭサービスプログラムを説明するための図である。
【００８５】
本発明の一実施の形態にかかるＭＩＭサービスプログラムは、同じグループに属したメンバー同士で文字を送受信できるようにする機能を有したアプリケーションの一種であって、代表例には、Ｋａｋａｏｔａｌｋ、Ｔｔａｌｋ、ＬＩＮＥ、ｏｌｌｅｈｔａｌｋ、Ｍｙ  Ｐｅｏｐｌｅなどのような商標（またはサービス標）名称を有したアプリケーションがある。
【００８６】
本発明の一実施の形態にかかるＭＩＭサービスプログラムは、例えば、図１４に例示的に示す構成を有した端末機にインストールされて動作できる。
【００８７】
本発明の一実施の形態にかかるＭＩＭサービスプログラムは、文字を送受信できる文字送受信機能と有機的に結合された他の機能を追加的に具備できる。
【００８８】
図１０は、本発明の一実施の形態にかかるＭＩＭサービスプログラムが提供するユーザインタフェース画面を示す。
【００８９】
図１０に示すように、本発明の一実施の形態にかかるＭＩＭサービスプログラムが提供するユーザインタフェース画面Ｈは、選択バーＩ、Ｐ、Ｊ、Ｑ、検索語入力ウィンドウＬ、プロファイル（ｐｅｒｏｆｉｌｅ）、友達の目録を表す友達目録ウィンドウＫを含むことができる。
【００９０】
選択バーは、友達Ｉ、チャットＰ、友達検索Ｊ、詳細はこちらＱを含むことができる。
【００９１】
友達目録ウィンドウＫには、現在端末機のユーザの友達として登録された友達のＩＤ（または名前）目録が表示される。
【００９２】
検索語入力ウィンドウＬには、検索語をユーザが入力できるウィンドウとして、ユーザが検索語入力ウィンドウＬをタッチすると、文字などを入力できるキーボードがユーザインタフェース画面Ｈ上に表示される。
【００９３】
図１０において、チャットＰをユーザが選択すると、例えば、図１１のようなユーザインタフェース画面が表示されることができる。
【００９４】
図１１に示すように、端末機に表示されるユーザインタフェース画面は、例えば、同じグループに属した友達と送受信される文字及び／またはマルチメディアデータが表示されるチャットウィンドウＡ、同じグループに属した友達に対する情報（例えば、同じグループに属する友達の人員数）を表示するウィンドウＢ、アイコンＣ、及びユーザ命令を受け取るユーザ命令入力ウィンドウＤを含むことができる。
【００９５】
本発明の一実施の形態にかかるＭＩＭサービスプログラムは、図１１に例示的に示すように、チャットウィンドウＡの外部領域である上部領域にアイコンＣを表示できる。これとは異なり、ＭＩＭサービスプログラムは、チャットウィンドウＡ領域内にアイコンＣを表示できる。
【００９６】
本発明の一実施の形態にかかるＭＩＭサービスプログラムは、端末機が、広告を受信した場合にアイコンＣを表示するか、プログラムＩＤを抽出した場合、またはプログラムＩＤ及びユーザ情報を抽出した場合にアイコンＣを表示できる。本実施の形態にかかるＭＩＭサービスプログラムは、また、端末機が広告を受信した場合、「プラス（＋）友達目録」に広告名称を追加して表示できるが、これについては図１２を参照して説明する。
【００９７】
本願明細書において、アイコンを表示するという意味は、アイコンをアクティブにするという意味であり、アイコンがアクティブになると、例えばアイコンイメージが無かったから後に現れるか、またはアイコンのイメージが暗い状態から明るくなる状態に変化するなどのように、ユーザが認識できる形態で表示され、ユーザがアイコンを選択すると、ＭＩＭサービスプログラムは、ユーザが選択したアイコンに接続した広告を表示できる。
【００９８】
ユーザ命令を受け取るユーザ命令入力ウィンドウＤは、例えば、ユーザが選択できるメニューを表すメニュー選択ボタンＭ１Ｆ、文字入力ウィンドウＧ、及び送信命令ボタンＨを含むことができる。
【００９９】
ユーザがアイコンＣを選択した場合、ＭＩＭサービスプログラムは、アイコンＣに接続した広告を表示できる。例えば、アイコンＣが選択されると、ＭＩＭサービスプログラムは、広告を表示できるアプリケーションプログラムを呼び出して、広告の保存されたアドレスをアプリケーションプログラムに伝達する。アプリケーションプログラムは、前記アドレス（このアドレスは、端末機が有した保存部の一位置を表すこともでき、これとは異なり、端末機７と通信可能に接続したあるサーバが有した保存部の一位置を表すこともできる）に保存された広告を読み出して表示する。例えば、広告が動画からなる場合には、前記アプリケーションプログラムは、動画を再生できるプログラムでありうる。
【０１００】
図１２は、本発明の一実施の形態にかかるＭＩＭサービスプログラムが提供するユーザインタフェース画面の一例を示す。
【０１０１】
図１０のような画面からユーザが友達検索を選択すると、本ＭＩＭサービスプログラムは、図１２のようなユーザインタフェース画面を表示できる。
【０１０２】
図１２に示すように、本ユーザインタフェース画面は、選択バー（例えば、友達、チャット、友達探し、詳細はこちら）、広告名称を表すプラス（＋）友達目録ウィンドウＮ、友達として推薦する人々の名前を表す推薦友達目録ウィンドウＯを含む。
【０１０３】
プラス（＋）友達目録ウィンドウＮに現れた広告名称のうち、いずれか一つを追加すると（追加ボタンを選択すると）、選択された広告名称は、「友達」として追加されるようになる。例えば、「オンセ家具」を追加したと仮定すると、図１３のように、オンセ家具が友達目録Ｋに追加されるようになる。
【０１０４】
本発明の一実施の形態にかかるＭＩＭサービスプログラムは、端末機が本発明の実施の形態によって広告を受信すると、プラス（＋）友達目録ウィンドウＮに受信した広告を表す広告名称を「プラス（＋）友達目録」に追加する。
【０１０５】
友達目録とプラス（＋）友達目録とは、端末機に保存されるか、またはＭＩＭサービスサーバに保存されていることができる。
【０１０６】
一方、本発明の一実施の形態にかかるＭＩＭサービスプログラムは、自身が初めて実行される時、またはユーザの命令がある場合、端末機が有したマイク（図示せず）をオン状態に転換させる。オン状態になったマイクは、端末機の外部に存在する音響信号を認識でき、認識した結果をＭＩＭサービスプログラムに伝達する。
【０１０７】
ＭＩＭサービスプログラムは、認識した音響信号にプログラムＩＤが存在しているかどうかを判断し、仮に存在すると、プログラムＩＤを抽出して端末機のユーザ情報と共にユーザカスタマイズ型広告提供サーバに送信する。一方、音響信号にＳＴＢ  ＩＤも共に含まれていると、このようなＳＴＢ  ＩＤもプログラムＩＤのようにユーザカスタマイズ型広告提供サーバに送信する。
【０１０８】
以後、ユーザカスタマイズ型広告提供サーバまたは他の装置から広告を受信すると、端末機自身が有したディスプレイ部（図示せず）を介して表示できる。
【０１０９】
本発明の一実施の形態にかかるＭＩＭサービスプログラムは、プログラムＩＤと端末機のユーザ情報を、例えば、ユーザカスタマイズ型広告提供サーバに送信できる。
【０１１０】
オプションとして、ＭＩＭサービスプログラムは、ユーザ情報と共にＳＴＢ  ＩＤも共にユーザカスタマイズ型広告提供サーバに送信できる。ここで、ＳＴＢ  ＩＤは、ＴＶから出力される音響信号に含まれているか、またはＳＴＢから直接受信する。
【０１１１】
他のオプションとして、ＭＩＭサービスプログラムは、友達同士で交換される文字メッセージ（これに限定されるものではない。音声または映像で交換されるデータも含まれる）に予め決めたキーワードがあると、そういうキーワードを導き出し、キーワードの頻度や種類に対する情報（以下、「キーワード情報」）をユーザカスタマイズ型広告提供サーバに送信できる。例えば、「冷蔵庫」という単語がキーワードとして予め登録されていると、同じグループに属した友達同士で交換される文字に「冷蔵庫」が３回出現すると、「冷蔵庫」が３回出現したという内容のキーワード情報をユーザ情報に含めることができる。キーワードは、１つである必要はなく、複数であっても良い。前記キーワードは、例えば端末機に保存されていることができ、ＭＩＭサービスプログラムは、そういうキーワードが文字メッセージ中でどれくらい言及されているかを確認して、ユーザ情報に含めることができる。
【０１１２】
代案として、ＭＩＭサービスプログラムは、セットトップボックス、広告サーバ、または放送サーバのうち、少なくともいずれか一つにユーザ情報及びプログラムＩＤを送信し、ユーザ情報及びプログラムＩＤを送信した所から広告を受信して表示することも可能である。
【０１１３】
以上のような動作をするＭＩＭサービスプログラムのコードの全てが端末機にインストールされるか、またはＭＩＭサービスプログラムのコードの一部は、端末機にインストールされ、残りのコードは、端末機と有線及び／または無線で接続したサーバ（例えば、クラウドサーバやユーザカスタマイズ型広告提供サーバ）にインストールされて実行されるようにする構成も可能である。
【０１１４】
そして、ＭＩＭサービスプログラムのコードは、ユーザカスタマイズ型広告提供サーバ、広告サーバ、放送サーバなどに備えられたコンピュータが読み取り可能な記録媒体に保存されていることができ、端末機の要請があると、端末機に送信されることができる。
【０１１５】
以上のように、図１０と図１１を参照して説明したＭＩＭサービスプログラムは、本出願の出願当時にＫａｋａｏｔａｌｋという商標名で商業化されて実施されるＭＩＭサービスプログラムを対象に本願発明が適用された例を説明したが、これは例示に過ぎず、他の種類のＭＩＭサービスプログラムにも本願発明にかかるＭＩＭサービスプログラムを適用できる。
【０１１６】
図１を参照し続けると、ユーザカスタマイズ型広告提供サーバ９が端末機７からユーザ情報及びプログラムＩＤを受信すると、受信したユーザ情報及びプログラムＩＤを放送サーバ５に送信できる。ユーザカスタマイズ型広告提供サーバ９が放送サーバ５に送信する情報は、端末機７から受信したユーザ情報及びプログラムＩＤそれ自体である必要はなく、それと等価的な機能を果たす情報を送信することも可能である。例えば、端末機７からサーバ９が受信したユーザ情報は、ユーザＩＤでありえ、サーバ９が放送局５に送信するユーザ情報は、年齢、性別に関する情報でありうる。プログラムＩＤは、プログラムを識別できる情報であると、どれでも良い。例えば、チャネル情報と放送時間でもプログラムを特定できるので、このような情報もプログラムＩＤと等価的な機能を果たす情報と言える。
【０１１７】
ユーザカスタマイズ型広告提供サーバ９は、例えば、ＭＩＭサービスを提供するサーバとしての機能も共に具備できる。そして、後述する図２と図３でのユーザカスタマイズ型広告提供サーバ１９、３９も、ＭＩＭサーバとしての機能を追加的に有するように構成されることができる。
【０１１８】
放送サーバ５は、ユーザ情報、プログラムＩＤ、及び／またはＳＴＢ  ＩＤに基づいてカスタマイズ型広告を選択し、前記カスタマイズ型広告を放送プログラムに挿入したユーザカスタマイズ放送を構成した後、ＳＴＢ３に送信する。ＳＴＢ３は、受信したユーザカスタマイズ放送をＴＶ１に提供する。
【０１１９】
カスタマイズ型広告を放送プログラムに挿入する実施の形態には、放送プログラムの一領域に字幕の形態または映像の形態を有するようにカスタマイズ型広告を挿入するか、または放送プログラムと放送プログラムとの間に存在する既存の広告の代りにカスタマイズ型広告を挿入できる。
【０１２０】
本願明細書において、「放送プログラム」とは、ユーザ情報、プログラムＩＤ、及び／またはＳＴＢ  ＩＤに基づいて選択した広告が挿入される前の任意のすべての放送を意味し、したがって「放送プログラム」は、広告を含んでいないか、または他の広告（ユーザ情報、プログラムＩＤ、及び／またはＳＴＢ  ＩＤに基づいて選択されたことでない広告）を既に含んでいることができる。
【０１２１】
放送サーバ５が、ユーザ情報に基づいて広告を選択するとき、例えばユーザのＴＶ視聴パターン、ＭＩＭサービス上のチャット内容、ＭＩＭ上の友達の数と友達の特性（年齢、家族、学校同門等）のようなユーザに対する付加的な情報とキーワード情報も共に考慮して、広告を選択できる。本願明細書において、「ユーザ情報」とは、例えば、ユーザ自体に対する情報（ユーザの年齢等）だけでなく、前記ユーザに対する付加的な情報とキーワード情報も含む概念として使用することにする。
【０１２２】
放送サーバ５は、例えば、ユーザ情報を参照してユーザの年齢または性別に応じて広告を選択でき、選択した広告を本然の放送プログラムの間に入れるか、または放送プログラム上に挿入（例えば、ＴＶ画面の下段に字幕の形態を有するように）して、ユーザカスタマイズ放送を構成した後にＳＴＢ３に送信できる。
【０１２３】
他の例として、放送サーバ５は、プログラムＩＤを参照して、プログラムＩＤが指定するプログラムに使用された製品または出演者が使用する製品（例えば、間接広告製品）に対した広告を選択し、選択した広告を本然の放送プログラムに挿入してＳＴＢ３に送信できる。
【０１２４】
さらに他の例として、放送サーバ５は、ｉ）プログラムＩＤ及び／またはユーザ情報と、ｉｉ）ＳＴＢ  ＩＤとを利用して広告を選択できる。ここで、ＳＴＢ  ＩＤは、放送サーバ５がユーザの位置がどこであるかを判断するのに使用されることができる。例えば、放送サーバ５は、ＳＴＢ  ＩＤを介してユーザの位置を判断でき、ユーザが公共場所、家、または会社にいるかどうかに応じて広告を選択できる。
【０１２５】
他の例として、放送サーバ５は、ＳＴＢ  ＩＤが同じユーザがいると、そういうユーザは、同じ位置にいると判断でき、同じ位置にいる人々に共通的に合う広告を選択できる。これとは異なり、ユーザの情報（例えば、性別、年齢など）を参照して、同じ位置にいる人々の中で広告効果の大きな人に合う広告を選択することができる。
【０１２６】
上述のように、ＳＴＢ  ＩＤを利用する実施の形態は、どんな位置にどんな人々が集まってＴＶ１を視聴するかが分かるので、カスタマイズ型広告を選択するのに有用でありうる。
【０１２７】
図１の実施の形態において、放送サーバ５がユーザカスタマイズ放送をＳＴＢ３に送信するためには、放送サーバ５は、ＳＴＢ３に固有に付与されたＩＤを知っていなければならない。
【０１２８】
放送サーバ５がＳＴＢ  ＩＤを知る方法は、例えば、次のような方法が可能でありうる。
【０１２９】
第１に、ＳＴＢ５が自身のＳＴＢ  ＩＤを放送サーバ５に送信する方法。
【０１３０】
第２に、ユーザカスタマイズ広告提供サーバ９から放送サーバ５にＳＴＢ  ＩＤを送信する方法。
【０１３１】
前記の第２の方法により具現化される場合は、ユーザカスタマイズ広告サーバ９が、ユーザ情報及びプログラムＩＤを放送サーバ５に送信する時、ＳＴＢ５のＳＴＢ  ＩＤも共に送信する方法により具現化できる。もちろん、ユーザ情報及びプログラムＩＤと、ＳＴＢ５のＳＴＢ  ＩＤが必ず同時に放送サーバ５に送信される必要はなく、互いに異なる時刻に送信されることも可能である。
【０１３２】
ユーザカスタマイズ広告提供サーバ９は、ユーザ端末機７からＳＴＢ５のＳＴＢ  ＩＤを受信して予め保存しているか、またはユーザ端末機７からユーザ情報及びプログラムＩＤを受信するごとに、ＳＴＢ５のＳＴＢ  ＩＤも共に受信することができる。
【０１３３】
ユーザ端末機７は、ＳＴＢ  ＩＤをＳＴＢ５からＷＩＦＩやブルートゥースのように無線で直接受信することができる。代案として、ユーザ端末機７は、ＳＴＢ５に搭載されたＷＩＦＩＭＡＣアドレスあるいはブルートゥースＭＡＣアドレスを収集して、ＳＴＢ  ＩＤとして使用することができる。代案として、ユーザ端末機７は、ＴＶ１から出力される音響信号からＳＴＢ  ＩＤを得ることができる。このような場合、ＴＶ１から出力される音響信号には、プログラムＩＤだけでなくＳＴＢ  ＩＤが共に含まれている。ＴＶ１から出力される音響信号にＳＴＢ  ＩＤを挿入する動作を行う装置は、例えばＳＴＢ３や放送サーバ５でありうる。
【０１３４】
図２は、本発明の他の実施の形態にかかるユーザカスタマイズ型広告提供システムを説明するための図である。
【０１３５】
図２に示すように、映像及び音響信号を出力するＴＶ１１、ＴＶ１１にユーザが選択したチャネルのプログラムを映像及び音響信号として出力するＳＴＢ１３、ＳＴＢ１３に放送信号を送信する放送サーバ１５、端末機１７、広告サーバ１８、及びユーザカスタマイズ型広告提供サーバ１９を備えることができる。
【０１３６】
図１の実施の形態と図２の実施の形態とを比較すると、ユーザカスタマイズ型広告提供サーバ１９が端末機１７から受信したユーザ情報とプログラムＩＤを放送サーバ１５でないＳＴＢ１３に送信するという点において第１番目の差異があり、第２番目は、ＳＴＢ１３が広告サーバ１８から広告の提供を受け、提供された広告のうち、端末機１７から受信したユーザ情報とプログラムＩＤとに基づいて選択し、選択した広告を放送プログラムに挿入してユーザカスタマイズ放送を構成した後、ＴＶ１１を介して出力するという点において差異がある。
【０１３７】
図２の一実施の形態によれば、ＳＴＢ１３は、広告を保存及び管理する広告サーバ１８から一定分量の広告を予め受信して保存しておいてから、これらの保存した広告の中からユーザ情報とプログラムＩＤに基づいて選択し、選択した広告を本然の放送プログラムに挿入してユーザカスタマイズ放送を構成できる。
【０１３８】
他の例として、ＳＴＢ１３は、自身の位置を知っているので、ユーザが公共場所、家、または会社にいるかどうかに応じて広告を選択できる。
【０１３９】
さらに他の例として、ＳＴＢ１３は、ＳＴＢ  ＩＤが同じユーザがいる場合には、そういうユーザは、同じ位置にいると判断し、同じ位置で視聴する人々に共通的に合う広告を選択できる。これとは異なり、ユーザの情報（例えば、性別、年齢など）を参照して、同じ位置にいる人々の中で広告効果の大きな人に合う広告を選択することもできる。
【０１４０】
図２の代案的な実施の形態によれば、ＳＴＢ１３は、ユーザ情報、プログラムＩＤ、及び／またはＳＴＢ  ＩＤを、広告を保存管理する広告サーバ１８に送信し、広告サーバ１８は、自分１８が保存している広告のうち、受信したユーザ情報、プログラムＩＤ、及び／またはＳＴＢ  ＩＤに基づいて広告を選択した後、選択した広告をＳＴＢ１３に送信する。ＳＴＢ１３は、広告サーバ１８から受信した広告を放送サーバ１５から受信した放送プログラムに挿入してユーザカスタマイズ放送を構成して、ＴＶ１１に提供する。
【０１４１】
端末機１７がユーザ情報とプログラムＩＤを放送サーバ１５でないＳＴＢ１３に送信することを除いては、端末機１７とユーザカスタマイズ型広告提供サーバ１９の機能は、図１の実施の形態の端末機７とユーザカスタマイズ型広告提供サーバ９の機能と同一または類似する。
【０１４２】
端末機１７に備えられたコンピュータが読み取り可能な記録媒体（図示せず）には、ＭＩＭサービスプログラムが保存されており、これは、例えば、ユーザカスタマイズ型広告提供サーバ１９から受信したことでありうる。
【０１４３】
本実施の形態にかかるＭＩＭサービスプログラムは、端末機１７に、ＴＶ１１から出力された音響信号に含まれたプログラムＩＤを認識するステップ、プログラムＩＤとユーザ情報及び／またはＳＴＢ１３のＳＴＢ  ＩＤをユーザカスタマイズ型広告提供サーバ１９に送信するステップ、ユーザカスタマイズ型広告提供サーバ１９またはユーザカスタマイズ型広告提供サーバ１９と通信可能に接続したＳＴＢ１３から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについての詳細な説明は、図１０ないし図１３を参照してほしい。
【０１４４】
一方、図２のユーザカスタマイズ型広告提供サーバ９は、ＭＩＭサービスを提供できるＭＩＭサーバとしての機能を追加的に具備できる。
【０１４５】
図２の実施の形態において、ユーザカスタマイズ型広告提供サーバ１９がユーザ情報とプログラムＩＤをＳＴＢ１３に送信するためには、ユーザカスタマイズ型広告提供サーバ１９は、ＳＴＢ１３のＩＤを知っていなければならない。
【０１４６】
例えば、ユーザカスタマイズ広告提供サーバ１９は、ユーザ端末機１７からＳＴＢ１３のＳＴＢ  ＩＤを受信して予め保存しているか、またはユーザ端末機１７からユーザ情報及びプログラムＩＤを受信するごとにＳＴＢ１３のＳＴＢ  ＩＤも共に受信することができる。
【０１４７】
以上説明した図２の実施の形態でも、広告を選択する時に用いられるユーザ情報には、ユーザに対する情報（年齢、趣味など）の他にユーザに対する付加的な情報もさらに含むことができる。
【０１４８】
図２の他の代案的な実施の形態として、広告サーバ１８がないように具現することも可能である。このような場合、放送サーバ１５が広告をＳＴＢ１３に送信し、ＳＴＢ１３は、放送サーバ１５から受信した広告のうち、ユーザカスタマイズ型広告サーバ１９から受信したユーザ情報、及びプログラムＩＤとＳＴＢ  ＩＤを利用してユーザカスタマイズ型広告を選択した後、放送プログラムに挿入してＴＶ１１に出力する。
【０１４９】
図３は、本発明の他の実施の形態にかかるユーザカスタマイズ型広告提供システムを説明するための図である。
【０１５０】
図３に示すように、ＴＶ３１、ＳＴＢ３３、放送サーバ３５、端末機３７、広告サーバ３８、及びユーザカスタマイズ型広告提供サーバ３９を備えることができる。
【０１５１】
図３の実施の形態と図２の実施の形態とを比較すると、ユーザカスタマイズ型広告提供サーバ３９が端末機３７から受信したユーザ情報、プログラムＩＤ、及び／またはＳＴＢ
ＩＤをＳＴＢ３３でない広告サーバ３８に送信するという点で差異があり、また広告サーバ３８が、自身が保存していた広告のうち、ユーザカスタマイズ型広告提供サーバ３９から受信したユーザ情報、プログラムＩＤ、及び／またはＳＴＢ  ＩＤに基づいて選択し、選択した広告をＳＴＢ３３に送信し、ＳＴＢ３３は、広告サーバ３から受信した広告を放送サーバ３５から受信した放送プログラムに挿入して、ユーザカスタマイズ放送を構成した後、ＴＶ３１に送信するという点において差異がある。
【０１５２】
端末機３７がユーザ情報とプログラムＩＤとをＳＴＢ３３ではない広告サーバ３３に送信するという点を除いては、端末機３７とユーザカスタマイズ型広告提供サーバ３９との機能は、図２の実施の形態の端末機１７とユーザカスタマイズ型広告提供サーバ１９との機能と同一または類似する。
【０１５３】
端末機１７と同様に、端末機３７もやはり、ＴＶ３１から出力される音響信号にＳＴＢ  ＩＤが含まれた場合、ＳＴＢ  ＩＤを抽出できる。端末機３７は、抽出したＳＴＢ  ＩＤをユーザ情報及びプログラムＩＤと共に広告サーバ３８に送信する。広告サーバ３８は、ユーザ情報、プログラムＩＤ、及び／またはＳＴＢ  ＩＤを利用してユーザカスタマイズ型広告を選択した後、端末機３７から受信したＳＴＢ  ＩＤを有したＳＴＢ３３にユーザカスタマイズ型広告を送信する。
【０１５４】
端末機３７に備えられたコンピュータが読み取り可能な記録媒体（図示せず）に保存されるＭＩＭサービスプログラムは、本発明の一実施の形態にかかるＭＩＭサービスプログラムでありえ、外部装置、例えばユーザカスタマイズ型広告提供サーバ３９から受信したことでありうる。
【０１５５】
本実施の形態にかかるＭＩＭサービスプログラムは、端末機３７に、ＴＶ３１から出力された音響信号に含まれたプログラムＩＤを認識するステップ、プログラムＩＤとユーザ情報及び／またはＳＴＢ３３のＳＴＢ  ＩＤを広告サーバ３８に送信するステップ、広告サーバ３８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１５６】
ユーザカスタマイズ型広告提供サーバ３９が広告サーバ３３にユーザ情報とプログラムＩＤを送信するためには、広告サーバ３８のアドレスを知っていなければならず、これは、管理者が広告サーバ３８のアドレスをユーザカスタマイズ型広告提供サーバ３９に保存させておくことができる。代案として、ＴＶ３１から出力される音響信号に広告サーバ３８のアドレスが含まれるように構成し、端末機３７が広告サーバ３８のアドレスを認識してユーザカスタマイズ型広告提供サーバ３９に提供することもできる。この代案の場合、ＳＴＢ３３がＴＶ１１に出力する音響信号に広告サーバ３８のアドレスを含めておくことができる。
【０１５７】
図４は、本発明の他の実施の形態にかかるユーザカスタマイズ型広告提供システムを説明するための図である。
【０１５８】
図４に示すように、ＴＶ４１、ＳＴＢ４３、放送サーバ４５、端末機４７、広告サーバ４８、及びユーザカスタマイズ型広告提供サーバ４９を備えることができる。
【０１５９】
図４の実施の形態によれば、端末機４７がＴＶ４１から出力される音響信号からプログラムＩＤ（ＳＴＢ  ＩＤがある場合には、ＳＴＢ  ＩＤも共に抽出）を抽出して、ユーザ情報と共にユーザカスタマイズ型広告提供サーバ４９に提供するという点は、上述の実施の形態と同一または類似する。
【０１６０】
端末機４７に備えられたコンピュータが読み取り可能な記録媒体（図示せず）に保存されるＭＩＭサービスプログラムは、本発明の一実施の形態にかかるＭＩＭサービスプログラムでありえ、外部装置、例えばユーザカスタマイズ型広告提供サーバ４９から受信したことでありうる。
【０１６１】
本実施の形態にかかるＭＩＭサービスプログラムは、端末機４７に、ＴＶ４１から出力された音響信号に含まれたプログラムＩＤを認識するステップ、プログラムＩＤとユーザ情報及び／またはＳＴＢ４３のＳＴＢ  ＩＤをユーザカスタマイズ型広告提供サーバ４９に送信するステップ、ユーザカスタマイズ型広告提供サーバ４９またはユーザカスタマイズ型広告提供サーバ４９と通信可能に接続した広告サーバ４８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１６２】
ユーザカスタマイズ型広告提供サーバ４９は、ユーザ情報とプログラムＩＤ（ＳＴＢ  ＩＤがある場合には、ＳＴＢ  ＩＤも共に送信）を広告サーバ４８に送信し、広告サーバ４８では、ユーザ情報、プログラムＩＤ、及び／またはＳＴＢ  ＩＤに基づいてユーザカスタマイズ型広告を選択した後、放送サーバ４９に送信する。
【０１６３】
放送サーバ４９は、広告サーバ４８から受信したユーザカスタマイズ型広告を放送プログラムに挿入して、ＳＴＢ４３に送信する。
【０１６４】
図５は、本発明の他の実施の形態にかかるユーザカスタマイズ型広告提供システムを説明するための図である。
【０１６５】
図５に示すように、ＴＶ５１、ＳＴＢ５３、放送サーバ５５、ＭＩＭサーバ５６、端末機５７、広告サーバ５８、及びユーザカスタマイズ型広告提供サーバ５９を備えることができる。
【０１６６】
図５の実施の形態と上述の図１ないし図４の実施の形態とを比較すると、ＭＩＭサーバ５６を追加的に具備しているという点において差異がある。
【０１６７】
端末機５７は、ＴＶ５１から出力される音響信号からプログラムＩＤ（ＳＴＢ  ＩＤがある場合には、ＳＴＢ  ＩＤも共に抽出）を抽出して、ユーザ情報と共にＭＩＭサーバ５６に送信し、ＭＩＭサーバ５６がユーザカスタマイズ型広告提供サーバ５９に提供するという点は、上述の実施の形態と差異がある。
【０１６８】
端末機５７に備えられたコンピュータが読み取り可能な記録媒体（図示せず）に保存されるＭＩＭサービスプログラムは、本発明の一実施の形態にかかるＭＩＭサービスプログラムであっても良く、外部装置、例えばＭＩＭサーバ５６から受信したことであっても良い。
【０１６９】
本実施の形態にかかるＭＩＭサービスプログラムは、端末機５７に、ＴＶ５１から出力された音響信号に含まれたプログラムＩＤを認識するステップ、プログラムＩＤとユーザ情報及び／またはＳＴＢ５３のＳＴＢ  ＩＤをＭＩＭサーバ５６に送信するステップ、ＭＩＭサーバ５６またはＭＩＭサーバ５６と通信可能に接続したＳＴＢ５３、放送サーバ５５、または広告サーバ５８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１７０】
ＭＩＭサーバ５６は、プログラムＩＤとユーザ情報とをユーザカスタマイズ型広告提供サーバ５９に提供し、ユーザカスタマイズ型広告提供サーバ４９は、ユーザ情報とプログラムＩＤ（ＳＴＢ  ＩＤがある場合には、ＳＴＢ  ＩＤも共に送信）とを放送サーバ５５に送信するか（ＴＹＰＥ  １）、広告サーバ５８に送信するか（ＴＹＰＥ  ２）、またはＳＴＢ５３に送信できる（ＴＹＰＥ  ３）。すなわち、図５の実施の形態は、上の三通りのＴＹＰＥの中で、いずれか一つのＴＹＰＥにより具現化されることができる。
【０１７１】
ＴＹＰＥ１により具現化される場合は、前述の図１の実施の形態と同様にユーザカスタマイズ型広告が選択されることができる。すなわち、放送サーバ５５は、ユーザ情報、プログラムＩＤ、及び／またはＳＴＢ  ＩＤを利用してユーザカスタマイズ型広告を選択して、ＳＴＢ５３に送信する。
【０１７２】
ＴＹＰＥ２により具現化される場合は、前述の図３の実施の形態と同様にユーザカスタマイズ型広告が選択されることができる。すなわち、広告サーバ５８は、ユーザ情報、プログラムＩＤ、及び／またはＳＴＢ  ＩＤを利用してユーザカスタマイズ型広告を選択して、ＳＴＢ５３に送信する。
【０１７３】
ＴＹＰＴ３により具現化される場合は、前述の図２の実施の形態と同様にユーザカスタマイズ型広告が選択されることができる。すなわち、ＳＴＢ５３は、ユーザカスタマイズ型広告を選択できる。
【０１７４】
図６は、本発明の他の実施の形態にかかるユーザカスタマイズ型広告提供システムを説明するための図である。
【０１７５】
図６に示すように、ＴＶ６１、ＳＴＢ６３、放送サーバ６５、ＭＩＭサーバ６６、端末機６７、広告サーバ６８、及びユーザカスタマイズ型広告提供サーバ６９を備えることができる。
【０１７６】
端末機６７に備えられたコンピュータが読み取り可能な記録媒体（図示せず）に保存されるＭＩＭサービスプログラムは、本発明の一実施の形態にかかるＭＩＭサービスプログラムであっても良く、外部装置、例えばＭＩＭサーバ６６から受信したことであっても良い。
【０１７７】
本実施の形態にかかるＭＩＭサービスプログラムは、端末機６７に、ＴＶ６１から出力された音響信号に含まれたプログラムＩＤを認識するステップ、プログラムＩＤとユーザ情報及び／またはＳＴＢ６３のＳＴＢ  ＩＤをＭＩＭサーバ６６に送信するステップ、ＭＩＭサーバ６６またはＭＩＭサーバ６６と通信可能に接続した広告サーバ６８から、プログラムＩＤとユーザ情報及び／またはセットトップボックスＩＤに基づいて選択された広告を受信するステップ、及び広告を受信したことをユーザに知らせるステップを含む方法を実行させるプログラムである。ＭＩＭサービスプログラムについてのさらに詳細な説明は、図１０ないし図１３を参照してほしい。
【０１７８】
図６と図５の実施の形態とを比較すると、ユーザカスタマイズ型広告提供サーバ６９がユーザ情報とプログラムＩＤ（ＳＴＢ  ＩＤがある場合には、ＳＴＢ  ＩＤも共に送信）を広告サーバ６８に送信し、広告サーバ６８は、ユーザ情報、プログラムＩＤ、及び／またはＳＴＢ  ＩＤを利用してユーザカスタマイズ型広告を選択して放送サーバ６５に送信するという点だけで差がある。以後の動作は、前述の図４の実施の形態と同一または類似するので省略することにする。
【０１７９】
図７は、本発明の他の実施の形態にかかるユーザカスタマイズ型広告提供システムを説明するための図である。
【０１８０】
図７に示すように、本ユーザカスタマイズ型広告提供システムは、ＴＶ７１、ＳＴＢ７３、放送サーバ７５、ＭＩＭサーバ７６、端末機７７、広告サーバ７８、及びユーザカスタマイズ型広告提供サーバ７９を備えることができる。
【０１８１】
本実施の形態は、図５の実施の形態の変形例であり、図５の実施の形態との差異点を中心に説明する。
【０１８２】
図７の実施の形態において、端末機７７ａ、７７ｂ、７７ｃは、それぞれ自身の固有ＩＤであるＵＩＤ＿ａ、ＵＩＤ＿ｂ、ＵＩＤ＿ｃをスピーカを介して音響信号として出力できる。また、端末機７７ａ、７７ｂ、７７ｃは、それぞれ他の端末機から出力される音響信号に含まれたＵＩＤを認識して抽出できる。
【０１８３】
端末機７７ａを例に挙げて説明すると、端末機７７ａは、自身のＩＤ  ＵＩＤ＿ａをスピーカを介して音響信号として出力でき、このような音響信号は、他の端末機７７ｂ、７７ｃにより認識されることができる。
【０１８４】
端末機７７ａは、また他の端末機７７ｂ、７７ｃから出力される音響信号に含まれたＩＤを抽出できる。
【０１８５】
端末機７７ａは、ＴＶ７１から出力される音響信号から抽出したプログラムＩＤと、自分７７ａと同じ場所にある端末機のＩＤ（例えば、ＵＩＤ＿ｂ、ＵＩＤ＿ｃ）と自分７７ａのユーザ情報をＭＩＭサーバ７６に送信する。他の端末機７７ｂ、７７ｃも、端末機７７ａと同一類似の動作を行うことができる。
【０１８６】
ＭＩＭサーバ７６は、プログラムＩＤ、ユーザ情報、及び端末機のＩＤ（端末機のＩＤの代りに端末機７７ｂ、７７ｃのユーザ情報を送信しても良い）をユーザカスタマイズ型広告提供サーバ７９に提供し、ユーザカスタマイズ型広告提供サーバ７９は、プログラムＩＤ、ユーザ情報、及び端末機のＩＤ（または端末機７７ｂ、７７ｃのユーザ情報）を放送サーバ７５、広告サーバ７８、またはＳＴＢ７３に送信する。放送サーバ７５、放送サーバ７８、またはＳＴＢ７３では、ユーザ情報、及びプログラムＩＤだけでなく、同じ場所にある端末機のＩＤを参照して、ユーザカスタマイズ型広告を選択できる。
【０１８７】
端末機７７ａ、７７ｂ、７７ｃから自分のＩＤを音響信号に含めて出力し、他の端末機から出力される音響信号に含まれたＩＤを抽出する技術は、例えば、図１の実施の形態の説明時に言及した本発明者が出願した特許出願に開示された方法を使用することができる。
【０１８８】
図７において説明していない他の構成要素の動作は、図５の実施の形態のものと同一または類似するので、省略する。
【０１８９】
図７の実施の形態のように、同じ位置にいるユーザが誰なのかが分かるので、そのユーザの全部に合う広告を提供できるようになる。
【０１９０】
図９は、本発明のユーザカスタマイズ型広告提供方法を説明するための図である。
【０１９１】
図９に示すように、本発明の一実施の形態にかかる本発明のユーザカスタマイズ型広告提供方法は、ＳＴＢ、広告サーバ、及び放送サーバのうち、少なくともいずれか一つがプログラムＩＤ及びユーザ情報を受信する（Ｓ２０１）。ここで、ユーザ情報は、ユーザに対する付加的な情報を含むことができる。
【０１９２】
一方、ステップＳ２０１の代案として、ＴＢ、広告サーバ、及び放送サーバのうち、少なくともいずれか一つは、プログラムＩＤ及びユーザ情報と共にＳＴＢ  ＩＤも共に受信することができる。
【０１９３】
ステップＳ２０１においてプログラムＩＤ及びユーザ情報を受信したＳＴＢ、広告サーバ、及び放送サーバのうち、少なくとも一つは、広告を選択してユーザカスタマイズ放送を構成する（Ｓ２０５）。ステップＳ２０５を行うにおいて、ＳＴＢ、広告サーバ、及び放送サーバのうち、いずれか一つが行われるか、またはこれらのうち、２種類以上が有機的に接続されて行うことができる。ステップＳ２０５の代案として、ＳＴＢ、広告サーバ、及び放送サーバのうち、少なくとも一つは、プログラムＩＤ、ユーザ情報、及び／またはＳＴＢ  ＩＤを利用して広告を選択して、ユーザカスタマイズ放送を構成することもできる。
【０１９４】
ステップＳ２０５にて構成されたユーザカスタマイズ放送は、ＴＶに送信される。
【０１９５】
図９によるユーザカスタマイズ型広告提供方法は、前述の図１ないし図７で説明したシステムのうちのいずれか一つのシステムにより具現化されることができる。
【０１９６】
図１４は、本発明の一実施の形態にかかるコンピュータの構成を説明するための図である。図１４に示すように、本発明の一実施の形態にかかるコンピュータは、プログラムロジック１０１、プロセッサ１０３、保存部１０５、メモリ１０７を備えることができる。
【０１９７】
図１４のコンピュータは、スマートフォン、ＰＤＡのようなモバイル機器、デスクトップ￥ＰＣ、タブレットＰＣ、またはサーバのようなコンピュータシステムのうちのいずれか一つでありうるが、これらに限定されるものでない。
【０１９８】
一方、上述の実施の形態における端末機、広告サーバ、またはユーザカスタマイズ型広告提供サーバは、図１４のコンピュータのような構成により具現化されることができ、上述の図８ないし図１０において説明した方法またはＭＩＭサービスプログラムが図１４のコンピュータのような構成により具現化されることができる。
【０１９９】
上述の実施の形態における端末機が図１４のコンピュータのような構成により具現化される場合、図１４のコンピュータは、ディスプレイ部（図示せず）とスピーカ（図示せず）をさらに備えることができる。
【０２００】
プログラムロジック１０１は、コンピュータで実行可能なコード（Ｃｏｄｅ）の形態により具現化されることができ、保存部１０５に保存されていてから、コンピュータプロセッサ１０３の制御によりメモリ１０７にローディングされて動作できる。
【０２０１】
例えば、プログラムロジック１０１は、図１ないし図７、及び図１０を参照して説明した端末機、広告サーバ、またはユーザカスタマイズ型広告提供サーバの動作を行うコード（ｃｏｄｅ）を含むことができる。
【０２０２】
他の例として、プログラムロジック１０１は、図８と図９を参照して説明した方法を行うコード（ｃｏｄｅ）を含むことができる。
【０２０３】
他の例として、プログラムロジック１０１は、ＭＩＭサービスプログラム及びＭＩＭサービスプログラムが実行するのに必要なプログラムを含むことができる。
【０２０４】
以上説明した実施の形態において、コンピュータで実行可能なプログラムのコードにより具現化される構成要素は、ハードウェアロジックによっても具現化が可能である。ハードウェアロジックにより具現化される場合には、コンピュータプロセッサ１０３に内蔵された形態により具現化されるか、またはコンピュータプロセッサ１０３とは別のハードウェアにより具現化されることができる。
【０２０５】
以上説明した実施の形態は、次のように変形実施が可能である。
【０２０６】
ＭＩＭサービスのためのサーバ（以下、ＭＩＭサーバとする）は、ユーザカスタマイズ型広告提供サーバと広告を選択する装置（例えば、放送サーバ、ＳＴＢ、または広告サーバ）の間に位置するように配置されることも可能である。
【０２０７】
このような場合には、端末機（例えば、端末機にインストールされたＭＩＭサービスプログラム）は、ユーザ情報、プログラムＩＤ、及び／またはＳＴＢ  ＩＤをユーザカスタマイズ型広告提供サーバに送信し、ユーザカスタマイズ型広告提供サーバがＭＩＭサーバにユーザ情報、プログラムＩＤ、及び／またはＳＴＢ  ＩＤを送信する。ＭＩＭサーバは、端末機から受信したユーザ情報、プログラムＩＤ、及び／またはＳＴＢ  ＩＤをそのままカスタマイズ型広告提供サーバに送信することもでき、ユーザ情報にＭＩＭ上のチャット内容を分析した結果を含めて、広告を選択する装置（ＳＴＢ、放送サーバ、または広告サーバ）に送信する。
【０２０８】
上述の実施の形態において、ユーザ情報、プログラムＩＤ、及び／またはＳＴＢ  ＩＤを利用して広告を選択する装置は、端末機でない端末機と通信可能に接続した外部装置（または、この外部装置と通信可能に接続した他の装置）であることを例として説明した。しかしながら、広告を選択する装置は、必ず外部装置である必要はなく、端末機の自身が広告を選択することもできる。すなわち、端末機は、ユーザ情報、プログラムＩＤ、及び／またはＳＴＢ  ＩＤを利用して、端末機のユーザに合うカスタマイズ型広告を選択してユーザに知らせるか、または表示できる。
【０２０９】
以上、本発明は、限定された実施の形態と図面により説明されたが、本発明は、上記の実施の形態に限定されるものではなく、本発明が属する分野における通常の知識を有した者であれば、このような記載から多様な修正及び変形が可能である。
【０２１０】
本発明の範囲は、説明された実施形態に限定されてはならず、後述する特許請求の範囲だけでなく、この特許請求の範囲と均等なものによって定められねばならない。
【符号の説明】
【０２１１】
１、１１、３１                  ＴＶ
３、１３、３３                  セットトップボックス
５、１５、３５                  放送サーバ
７、１７、３７                  端末機
１８、３８                      広告サーバ
９、１９、３９                  ユーザカスタマイズ型広告提供サーバ
【手続補正２】
【補正対象書類名】特許請求の範囲
【補正対象項目名】全文
【補正方法】変更
【補正の内容】
【特許請求の範囲】
【請求項１】
ＴＶの前で視聴するユーザにユーザカスタマイズ型広告を提供する提供方法であって、
前記ユーザの端末機がＴＶから出力された音響信号に含まれたプログラムＩＤを認識するステップと、
前記ユーザの端末機は、ｉ）前記プログラムＩＤと、ｉｉ）ユーザ情報及び／または前記ＴＶに接続されて映像及び音声を出力するセットトップボックスＩＤを外部装置に送信するステップと、
前記ユーザの端末機または前記セットトップボックスＩＤを有したセットトップボックスが、前記外部装置または前記外部装置と通信可能に接続された他の装置により選択されたカスタマイズ型広告を受信するステップと、
前記ユーザの端末機または前記ＴＶが、前記カスタマイズ型広告を前記ユーザに出力するステップと、を含むことを特徴とするユーザカスタマイズ型広告を提供する方法。
【請求項２】
前記ユーザの端末機は、ＴＶから出力される音響信号を認識できるように、前記ユーザの端末機が有したマイクをオンにするステップをさらに含むことを特徴とする請求項１に記載のユーザカスタマイズ型広告を提供する方法。
【請求項３】
前記ユーザの端末機は、前記ユーザと同じグループに属した友達に文字及び／またはマルチメディアデータを送信するか、前記友達のうち、少なくともいずれか一つの友達から文字及び／またはマルチメディアデータを受信することができるチャットウィンドウを含んだユーザインタフェース画面を表示し、
前記ユーザに知らせるステップは、前記ユーザインタフェース画面上にアイコンをアクティブにするステップであることを特徴とする請求項１に記載のユーザカスタマイズ型広告を提供する方法。
【請求項４】
前記ユーザの端末機は、前記ユーザに友達推薦目録を表示するプラス（＋）友達目録ウィンドウを含んだユーザインタフェース画面を表示し、
前記ユーザに知らせるステップは、前記プラス（＋）友達目録に前記カスタマイズ型広告を選択するステップにて選択された広告に対する広告名称を含めるステップであることを特徴とする請求項１に記載のユーザカスタマイズ型広告を提供する方法。
【請求項５】
前記外部装置は、同じグループに属した友達に文字及び／またはマルチメディアデータを送信するＭＩＭサービスサーバであり、
前記ＭＩＭサービスサーバは、
通信可能に接続した広告サーバ、セットトップボックス、または放送サーバにｉ）前記プログラムＩＤと、ｉｉ）前記ユーザ情報及び／または前記セットトップボックスＩＤとを送信し、
ｉ）前記プログラムＩＤと、ｉｉ）前記ユーザ情報、及び／または前記セットトップボックスＩＤを送信した装置から広告を受信して、前記ユーザの端末機に送信することを特徴とする請求項１に記載のユーザカスタマイズ型広告を提供する方法。
【請求項６】
ＴＶから出力された音響信号に含まれたプログラムＩＤは、前記セットトップボックスまたは前記セットトップボックスに放送信号を送信する装置によって放送信号に挿入されたことを特徴とする請求項１に記載のユーザカスタマイズ型広告を提供する方法。
【請求項７】
ＴＶの前で視聴するユーザにユーザカスタマイズ型広告を提供する方法であって、
前記ユーザの端末機から、前記ＴＶから外部に出力された音響信号に含まれたｉ）プログラムＩＤと、ｉｉ）ユーザ情報及び／または前記ＴＶに接続されて音声と映像を出力するセットトップボックスのＩＤ（セットトップボックスＩＤとする）を受信するステップと、
ｉ）前記プログラムＩＤと、ｉｉ）前記ユーザ情報、及び／または前記セットトップボックスＩＤに基づいて、前記ＴＶの前で視聴するユーザに対するユーザカスタマイズ型広告を選択するステップと、
前記広告を選択するステップにて選択された広告を、前記ユーザ端末機及び／または前記ＴＶに送信するステップと、を含むことを特徴とするユーザカスタマイズ型広告を提供する方法。
【請求項８】
前記ユーザカスタマイズ型広告を選択するステップにて選択されたユーザカスタマイズ型広告を放送プログラムに挿入するステップをさらに含み、
前記ＴＶに送信するステップは、前記ユーザカスタマイズ型広告が挿入されたプログラムを送信するステップであることを特徴とする請求項７に記載のユーザカスタマイズ型広告を提供する方法。
【請求項９】
前記ユーザカスタマイズ型広告を選択するステップは、
同じグループに属した友達に文字及び／またはマルチメディアデータを送信するＭＩＭサービスサーバにより行われるか、前記ＴＶに広告を提供する広告サーバにより行われるか、または前記セットトップボックスにより行われることを特徴とする請求項７に記載のユーザカスタマイズ型広告を提供する方法。
【請求項１０】
前記ユーザカスタマイズ型広告を選択するステップは、
セットトップボックスＩＤが同じユーザに対しては、同じ位置にいると判断し、前記ユーザに合う広告を選択することを特徴とする請求項７に記載のユーザカスタマイズ型広告を提供する方法。
【請求項１１】
ＴＶから出力された音響信号に含まれたプログラムＩＤは、前記セットトップボックスまたは前記セットトップボックスに放送信号を送信する装置によって放送信号に挿入されることを特徴とする請求項７に記載のユーザカスタマイズ型広告を提供する方法。 
【請求項１２】
サーバと端末機を備えるユーザカスタマイズ型広告提供システムにおける前記サーバであって、
前記サーバは、ＭＩＭサービスプログラムを記録したコンピュータで読み取り可能な記録媒体を有し、
前記ＭＩＭサービスプログラムは、
前記端末機に、
ＴＶから出力された音響信号に含まれたプログラムＩＤを認識すると、ｉ）前記プログラムＩＤと、ｉｉ）ユーザ情報及び／または前記ＴＶに接続して映像及び音声を出力するセットトップボックスのＩＤ（セットトップボックスＩＤとする）を外部装置に送信するステップと、
前記外部装置または前記外部装置と通信可能に接続した他の装置から、ｉ）前記プログラムＩＤと、ｉｉ）前記ユーザ情報、及び／または前記セットトップボックスＩＤに基づいて選択された広告を受信するステップと、
広告を受信したことを前記ユーザに知らせるステップと、を含む方法を実行させるためのプログラムであることを特徴とするサーバ。
【請求項１３】
前記方法は、
ＴＶから出力される音響信号を認識できるように、前記端末機が有したマイクをオンにするステップをさらに含むことを特徴とする請求項１２に記載のサーバ。
【請求項１４】
前記方法は、
前記ユーザと同じグループに属した友達に文字及び／またはマルチメディアデータを送信するか、または前記友達のうち、少なくともいずれか一つの友達から文字及び／またはマルチメディアデータを受信することができるチャットウィンドウを含んだユーザインタフェース画面を表示するステップをさらに含み、
前記ユーザに知らせるステップは、広告を受信したことを前記ユーザインタフェース画面上にアイコンをアクティブにするステップであることを特徴とする請求項１３に記載のサーバ。
【請求項１５】
前記方法は、
前記ユーザに友達推薦目録を表示するプラス（＋）友達目録ウィンドウを含んだユーザインタフェース画面を表示するステップをさらに含み、
前記ユーザに知らせるステップは、前記プラス（＋）友達目録に前記広告を受信するステップにて受信した広告に対する広告名称を含めるステップであることを特徴とする請求項１３に記載のサーバ。
【請求項１６】
前記外部装置は、前記サーバまたは同じグループに属した友達に文字及び／またはマルチメディアデータを送信するサービスを提供するＭＩＭサービスサーバであり、
前記サーバまたは前記ＭＩＭサービスサーバは、
通信可能に接続した広告サーバ、セットトップボックス、または放送サーバにｉ）前記プログラムＩＤと、ｉｉ）前記ユーザ情報及び／または前記セットトップボックスＩＤとを送信し、
ｉ）前記プログラムＩＤと、ｉｉ）前記ユーザ情報及び／または前記セットトップボックスＩＤとを送信した装置から広告を受信して、前記ユーザの端末機に送信することを特徴とする請求項１２に記載のサーバ。
【手続補正３】
【補正対象書類名】図面
【補正対象項目名】図５
【補正方法】変更
【補正の内容】
【図５】
2016523014.tif 000017
【手続補正４】
【補正対象書類名】図面
【補正対象項目名】図６
【補正方法】変更
【補正の内容】
【図６】
2016523014.tif 000018
【手続補正５】
【補正対象書類名】図面
【補正対象項目名】図７
【補正方法】変更
【補正の内容】
【図７】
2016523014.tif 000019
【国際調査報告】
2016523014.tif 000020
2016523014.tif 000021
2016523014.tif 000022
2016523014.tif 000023